(57)【特許請求の範囲】
【請求項１】
一つの折り曲げられた連続的なコンポジット材料で少なくともアッパーが作製される本体構造を含むフットウェアであって、
材料の少なくとも１つのシートの層を含んでおり、前記コンポジット材料が、
（ａ）互いに上下方向に積層された複数の完全層、
（ｂ）互いに上下方向に積層された複数の部分層、
（ｃ）少なくとも１つの完全層に対して上下方向に積層された１又はそれ以上の部分層、
（ｄ）少なくとも１の完全層又は部分層に結合された１又はそれ以上のクッションポッド要素、
（ｅ）少なくとも１の完全層又は部分層に結合されたポッド嵌装開口部を有する１又はそれ以上の構造、又は、
（ｆ）少なくとも１の完全層又は部分層に形成された１又はそれ以上のポッド嵌装開口部、
を含むことを特徴とするフットウェア。
【請求項２】
請求項１に記載のフットウェアにおいて、前記フットウェアの前記本体構造が、
コンポジット材料のシートに接合され又はその中に挿入される１又はそれ以上の異なる材料によって、一様でなく作られており、前記異なる材料が、
少なくとも１の部分層又は完全層に接合された１又はそれ以上のクッションポッド要素、
互いに上下方向に積層された複数の部分層、
少なくとも１つの完全層に対して上下方向に積層された１又はそれ以上の部分層、
少なくとも１つの完全層に対して上下方向に積層された１又はそれ以上の完全層、
少なくとも１の完全層又は部分層に接合されたポッド嵌装開口部を有する１又はそれ以上の構造、又は、
少なくとも１の完全層又は部分層に形成された１又はそれ以上のポッド嵌装開口部、
であることを特徴とするフットウェア。
【請求項３】
請求項１又は２に記載のフットウェアにおいて、前記材料の少なくとも１つのシートのが、
発泡体、ゴム、エラストマー、又はそれらの組み合わせで作製され、
１又はそれ以上の係止ポッド要素、
１又はそれ以上の係止ポッド開口部、
１又はそれ以上の係止ポッド要素及び１又はそれ以上の係止ポッド開口部、
係止ポッド開口部に係合する少なくとも１の係止ポッド要素、
１又はそれ以上の電子的、機械的又は電気機械的装置又はそれらの組み合わせ、
タング部、
クッションパディング要素、
折り目、又は、
補強構造を含むことを特徴とするフットウェア。
【請求項４】
請求項１乃至３のいずれか１項に記載のフットウェアにおいて、前記アッパーが既製のアウトソール組立体に取り付けられており、前記アウトソール組立体が、
ソールポッド要素、
前記アッパーの底面と接触するアウトソール層、又は、
アウトソールを含むことを特徴とするフットウェア。
【請求項５】
請求項１乃至４のいずれか１項に記載のフットウェアにおいて、前記本体構造が、前記アッパーを含んでおり、アウトソールが、材料の積層シートを含む一つの折り曲げられた連続的なコンポジット材料で構成されることを特徴とするフットウェア。
【請求項６】
請求項１乃至５のいずれか１項に記載のフットウェアにおいて、前記コンポジット材料が、前記本体構造上の１又はそれ以上の継ぎ目、特に、１つの継ぎ目で接合されることを特徴とするフットウェア。
【請求項７】
請求項２乃至６のいずれか１項に記載のフットウェアにおいて、前記一様でない本体構造が、前記フットウェアの領域の厚さ、生地、剛性、硬さ、色、通気性、緩衝性、耐摩耗性、又は柔軟性であることを特徴とするフットウェア。
【請求項８】
請求項１に記載のフットウェアの作製方法において、
（ｉ）少なくとも１層の材料シートを含むコンポジット材料を提供するステップと、
（ｉｉ）一つの折り曲げられた連続的なコンポジットフットウェアを含む本体構造が作製されるように前記コンポジットを折り曲げるステップと、
を含んでおり、前記材料シートが、完全層又は部分層であり、前記コンポジット材料が、
（ａ）互いに上下方向に積層された複数の完全層、
（ｂ）互いに上下方向に積層された複数の部分層、
（ｃ）少なくとも１つの完全層に対して上下方向に積層された１又はそれ以上の部分層、
（ｄ）少なくとも１の完全層又は部分層に結合された１又はそれ以上のクッションポッド要素、
（ｅ）少なくとも１の完全層又は部分層に結合されたポッド嵌装開口部を有する１又はそれ以上の構造、又は、
（ｆ）少なくとも１の完全層又は部分層に形成された１又はそれ以上のポッド嵌装開口部、
を含むことを特徴とする方法。
【請求項９】
請求項８に記載の方法において、折り曲げられると完成体となる前記フットウェア本体構造を構成するサイズ及び外周に前記少なくとも１つのシートを予め裁断する、又は裁断するステップを含むことを特徴とする方法。
【請求項１０】
請求項８又は９に記載の方法において、クッションポッド要素又はポッド嵌装開口部が設けられるように材料の１つのシートを予め裁断する、又は裁断するステップを含むことを特徴とする方法。
【請求項１１】
請求項８乃至１０のいずれか１項に記載の方法において、前記シート材料層を一体にラミネートするステップを含むことを特徴とする方法。
【請求項１２】
請求項８乃至１１のいずれか１項に記載の方法において、前記コンポジット材料を１又はそれ以上の継ぎ目、特に１つの継ぎ目で接合するステップを含むことを特徴とする方法。
【請求項１３】
請求項８乃至１２のいずれか１項に記載の方法において、前記フットウェアの前記本体構造が、コンポジット材料のシートに接合され又はその中に挿入される１又はそれ以上の異なる材料によって、一様でなく作られており、前記異なる材料が、
少なくとも１の部分層又は完全層に接合された１又はそれ以上のクッションポッド要素、
互いに上下方向に積層された複数の部分層、
少なくとも１つの完全層に対して上下方向に積層された１又はそれ以上の部分層、
少なくとも１つの完全層に対して上下方向に積層された１又はそれ以上の完全層、
少なくとも１の完全層又は部分層に接合されたポッド嵌装開口部を有する１又はそれ以上の構造、又は、
少なくとも１の完全層又は部分層に形成された１又はそれ以上のポッド嵌装開口部、
であることを特徴とする方法。
【請求項１４】
請求項１乃至７のいずれか１項に記載のフットウェアにおいて、前記コンポジット材料が、異なる厚さ及び／又は性能特性を備えた材料のシート層で構成されることを特徴とするフットウェア。
【請求項１５】
請求項８乃至１３のいずれか１項に記載の方法において、前記コンポジット材料が、異なる厚さ及び／又は性能特性を備えた材料のシート層で構成されることを特徴とする方法。
【発明の詳細な説明】
【技術分野】
【０００１】
本発明は、コンポジット材料又はコンポジット様材料のシートを裁断し、折り曲げ、及び組み立てることにより作製されるフットウェア、並びにその作製方法に関する。以下にさらに詳細に記載するとおり、この「単体」構成フットウェアは軽量であり、別途一体に縫着、綴着又は糊着しなければならない個別部品の数が少なくて済み、より短時間で、且つより低コストで製造することができる。
【発明の概要】
【０００２】
一態様において本発明は、重層されたシーティング構造から構成される少なくとも１つ、２つ又は３つ又はそれ以上の折り曲げられた連続的なコンポジット材料から少なくともアッパーが作製され得る本体構造を含むフットウェアに関する。シーティング構造は、組み立てられたコンポジット材料を完全な型のフットウェア本体構造、又はその一部の形状に折り曲げることが可能な限り、限定なしに少なくとも１層のシーティング材料、少なくとも２、少なくとも３層、少なくとも４層、少なくとも５層、少なくとも６層、少なくとも７層、少なくとも８層などを含み得る。シーティング構造には異なる材料が挿入され、又は組み込まれてもよく、それによりフットウェアの本体構造を形成するよう折り曲げ得る一様でない平面的な構造が作り出され得る。コンポジット材料はクッションポッド要素又はポッド嵌装開口部を含み得る。フットウェアの本体において１つ以上のクッションポッド要素が１つ以上のポッド嵌装開口部に接合され得る。重層シーティング構造は、弾性発泡体、ゴム、他の弾性材料、若しくはそれらの組み合わせ、又は革、布、メッシュ、若しくは他のシーティング材料、又は前述のいずれかの組み合わせで作製され得る。重層シーティング構造、及び組み立てられたフットウェアはまた、１つ以上の係止ポッド要素及び係止ポッド開口部も含み得る。重層シーティング構造はまた、完全層、部分層、又はそれらの組み合わせも含み得る。重層シーティング構造は、タング部、１つ以上のクッションパディング要素、折り目、及び／又は補強構造を含み得る。重層シーティング構造はまた、１つ以上の電子的、機械的、又は電気機械的装置も含み得る。
【０００３】
このフットウェアはアッパーを含むことができ、このアッパーは既製のアウトソール組立体に取り付けられ得る。アウトソール組立体はソールポッド要素を含み得る。ソールポッド要素はフットウェアの着用者と接触するようにフットウェアの内側に露出していてもよい。アウトソール組立体はアウトソール層を含むことができ、このアウトソール層はアッパーの底面と接触し得る。アウトソール層はソールポッド要素を巻き付けるように拡張されてもよい。アウトソール組立体はミッドソールを含んでもよい。
【０００４】
フットウェアの本体構造はアッパーとアウトソールとを含むことができ、これらは重層シーティング構造を含む１つ以上の折り曲げられた連続的なコンポジット材料から構成され得る。一態様において、コンポジット材料は本体構造上の１つの継ぎ目で接合され得る。フットウェアの本体構造はフットウェアの異なる区画又は範囲にわたり一様でなくてもよく、フットウェアの異なる範囲に領域の様々な厚さ、生地、剛性、硬さ、色、通気性、緩衝性、耐摩耗性、柔軟性、又は他の性能特性を含み得る。フットウェアとしては、限定なしに、運動靴、カジュアルシューズ、サンダル靴、フォーマルシューズ、業務用安全靴、医療従事者の使用に好適なシューズ、及び軍用フットウェアを挙げることができる。
【０００５】
別の態様において、本発明は上記に記載するフットウェアの作製方法に関し、これは（ｉ）少なくとも１層のシーティング構造を含むコンポジット材料を提供するステップと；（ｉｉ）１つ以上の折り曲げられた連続的なコンポジットのフットウェアを含む本体構造が作製され得るようにコンポジットを折り曲げるステップとを含む。コンポジット材料は、シーティング構造の少なくとも１つの完全層、又はシーティング構造の少なくとも１つの部分層、又はそれらの任意の組み合わせから構成され得る。シーティング構造の内部を予め裁断し、クッションポッド要素又はポッド嵌装開口部を設けてもよい。さらにこの方法では、コンポジット材料を折り曲げた後、コンポジット材料は縁部、端部、頂点、又は角部が付形され、係止ポッド要素及び係止ポッド開口部を係合することにより所定位置に保持され得る。別の態様において、コンポジット材料は１つの継ぎ目で接合され得る。この方法はさらに、異なる材料又は異なる寸法の材料をシーティング構造に挿入する、又は組み込むステップであって、それによりフットウェアの一様でない本体構造を作るステップを含み得る。
【０００６】
別の実施形態において、本発明は、折り曲げられ得る１つ以上の連続的な部材片又はシーティング構造から作製されるアッパーとインソールとを含むフットウェアに関する。シューアッパーは、シューズの異なる範囲に異なる材料を含む１つ以上の連続的な部材片又はシーティング構造から作製されてもよく、それらの部材片又はシーティング構造は折り曲げられ得る。別の実施形態において、本発明は、折り曲げられ得る１つ以上の連続的な部材片又はシーティング構造から作製されるアッパーとミッドソールとアウトソールとを含むフットウェアに関する。アッパーは１つ以上の連続的な部材片又はシーティング構造から、しかしシューズの異なる範囲に異なる材料又は異なる寸法の材料が位置して作製されてもよく、それらの部材片又はシーティング構造は折り曲げられ得る。
【０００７】
本発明のこれらの及び他の目的は、以下の本発明の説明、本明細書に添付される参照図面及び本明細書に添付される特許請求の範囲からより完全に理解されるであろう。
【図面の簡単な説明】
【０００８】
本発明は、本明細書で以下に提供する詳細な説明及びあくまでも例示として提供され、従って本発明を限定するものではない添付の図面から、より完全に理解されるであろう。
【０００９】
【図１】図１は、従来どおり作製されたシューズの分解図を示す。
【図２】図２は、従来どおり作製されたシューズの分解図を示す。
【図３】図３は、従来どおり作製されたシューアッパーを示す。
【図４】図４は、従来どおり作製されたシューズの分解図を示す。
【図５】図５は、従来どおり作製されたシューアッパー−ミッドソール−アウトソール組立体への中敷きの挿入を示す。
【図６】図６は、単体シューアッパーの分解図を示す。
【図７】図７は、組み立てられた単体シューアッパーの側面図を示す。
【図８】図８は、組み立てられた単体シューアッパーの側面図を示す。
【図９】図９は、単体シューアウトソール組立体の様々な任意選択の構成要素を示す。
【図１０】図１０は、個々のクッションポッド要素を強調する分解図を示し、このクッションポッド要素の配列がクッションパディング要素を形成する。
【図１１】図１１は、単体シューズ組立体の作製に使用される完全層の展開図を示す。
【図１２】図１２は、単体シューズ組立体の作製に使用される部分層の展開図を示す。
【図１３】図１３は、本発明の任意選択の実施形態の分解斜視図を示し、ここではクッションパディング要素が完全層に対して位置決めされる。
【図１４】図１４は、本発明の任意選択の実施形態の分解斜視図を示し、ここではクッションパディング要素が完全層に係合、糊着、又は接着される。
【図１５】図１５は、本発明の任意選択の実施形態の分解斜視図を示し、ここではクッションパディング要素が完全層に係合、糊着、又は接着され、完全層は、単体シューアッパーに適切な形状をした三次元構造に折り曲げられる。
【図１６】図１６は、底面を備える任意選択のインソール要素の斜視図を示す。
【図１７】図１７は、インソール要素の断面図を示す。
【図１８】図１８は、一体に係合される部分層、完全層及びインソールの分解図を示す。
【図１９】図１９は、本発明の任意選択の実施形態の背面図を人の足の断面と併せて示し、ここではインソール要素とクッションポッド要素の配列と完全層と部分層との重層コンポジット組立体が、単体シューアッパーに適切な形状をした三次元構造に折り曲げられる。
【図２０】図２０は、組み立てられた単体シューアッパーの側面図を示す。
【図２１】図２１は、アウトソール層の斜視図を示す。
【図２２】図２２は、アウトソール層の側面図を示す。
【図２３】図２３は、ソールポッド要素の斜視図を示す。
【図２４】図２４は、ソールポッド要素の側面図を示す。
【図２５】図２５は、ミッドソール要素の斜視図を示す。
【図２６】図２６は、ミッドソール要素の側面図を示す。
【図２７】図２７は、部分アウトソールキャップの斜視図を示す。
【図２８】図２８は、部分アウトソールキャップの側面図を示す。
【図２９】図２９は、部分アウトソール要素の斜視図を示す。
【図３０】図３０は、部分アウトソール要素の側面図を示す。
【図３１】図３１は、単体シューアッパーに適切な形状をした三次元構造に折り曲げられた、インソール要素とクッションポッド要素の配列と完全層と部分層との重層コンポジット組立体の背面図を、人の足の断面と併せて示す。
【図３２】図３２は、ソールポッド要素及びミッドソール要素に折り重なって「巻き付く」又はそれらを包み込むようなサイズ及び位置にされる拡張アウトソール層の背面図を、人の足の断面と併せて示す。
【図３３】図３３は、ソールポッド要素及びミッドソール要素に折り重なって「巻き付く」又はそれらを包み込む拡張アウトソール層の背面図を、人の足の断面と併せて示す。
【図３４】図３４は、ソールポッド要素及びミッドソール要素に折り重なって「巻き付き」又はそれらを包み込み、且つ部分アウトソール要素又は完全アウトソール要素が装着された拡張アウトソール層の部分分解背面図を、人の足の断面と併せて示す。
【図３５】図３５は、ソールポッド要素及びミッドソール要素に折り重なって「巻き付き」又はそれらを包み込み、且つ部分アウトソール要素が装着された拡張アウトソール層の背面図を、人の足の断面と併せて示す。
【図３６】図３６は、ソールポッド要素及びミッドソール要素に折り重なって「巻き付き」又はそれらを包み込み、且つ完全アウトソール要素が装着された拡張アウトソール層の背面図を、人の足の断面と併せて示す。
【図３７】図３７は、ソールポッド要素及びミッドソール要素に折り重なって「巻き付き」又はそれらを包み込み、且つ部分アウトソール要素又は完全アウトソール要素が装着された拡張アウトソール層の背面図を、人の足の断面と併せて示す。
【図３８】図３８は、完全層及び第二完全層を含んで組み立てられる単体シューアッパーの背面図を、人の足の断面と併せて示す。
【図３９】図３９は、ソールポッド要素及びミッドソール要素に折り重なって「巻き付く」又はそれらを包み込むようなサイズ及び位置にされる拡張アウトソール層と共に、完全層及び第二完全層を含んで組み立てられる単体シューアッパーの背面図を、人の足の断面と併せて示す。
【図４０】図４０は、ソールポッド要素及びミッドソール要素に折り重なって「巻き付く」又はそれらを包み込むようなサイズ及び位置にされる拡張アウトソール層と共に、完全層及び第二完全層を含んで組み立てられる単体シューアッパーの背面図を、人の足の断面と併せて示す。
【図４１】図４１は、ソールポッド要素及びミッドソール要素に折り重なって「巻き付く」又はそれらを包み込むようなサイズ及び位置にされ、且つ部分アウトソール要素が装着される拡張アウトソール層と共に、完全層及び第二完全層を含んで組み立てられる単体シューアッパーの背面図を、人の足の断面と併せて示す。
【図４２】図４２は、ソールポッド要素及びミッドソール要素に折り重なって「巻き付く」又はそれらを包み込むようなサイズ及び位置にされ、且つ完全アウトソール要素が装着される拡張アウトソール層と共に、完全層及び第二完全層を含んで組み立てられる単体シューアッパーの背面図を、人の足の断面と併せて示す。
【図４３】図４３は、ソールポッド要素及びミッドソール要素に折り重なって「巻き付く」又はそれらを包み込むようなサイズ及び位置にされ、且つ部分アウトソール要素及び完全アウトソール要素が装着される拡張アウトソール層と共に、完全層及び第二完全層を含んで組み立てられる単体シューアッパーの背面図を、人の足の断面と併せて示す。
【図４４】図４４は、ソールポッド要素及びミッドソール要素に折り重なって「巻き付き」又はそれらを包み込み、且つ部分アウトソール要素又は完全アウトソール要素が装着される拡張アウトソール層の部分分解背面図を、人の足の断面と併せて示す。
【図４５】図４５は、ソールポッド要素及びミッドソール要素に折り重なって「巻き付き」又はそれらを包み込み、且つ部分アウトソール要素又は完全アウトソール要素が装着される拡張アウトソール層の背面図を、人の足の断面と併せて示す。
【図４６】図４６は、ソールポッド要素及びミッドソール要素に折り重なって「巻き付く」又はそれらを包み込むようなサイズ及び位置にされ、且つ部分アウトソール要素及び完全アウトソール要素が装着される拡張アウトソール層と共に、完全層及び第二完全層を含んで組み立てられる単体シューアッパーの背面図を、人の足の断面と併せて示す。
【図４７】図４７は、拡張完全アウトソール要素を有する単体シューアッパー組立体の背面図を、人の足の断面と併せて示す。
【図４８】図４８は、部分アウトソール要素及び拡張完全アウトソール要素を有する単体シューアッパー組立体の背面図を、人の足の断面と併せて示す。
【図４９】図４９は、部分アウトソール要素及び拡張完全アウトソール要素を有する単体シューアッパー組立体の背面図を、人の足の断面と併せて示す。
【図５０】図５０は、アウトソール要素、並びに部分アウトソール要素及び完全アウトソール要素を有する単体シューアッパー組立体の背面図を、人の足の断面と併せて示す。
【図５１】図５１は、アウトソール要素、並びに部分アウトソール要素及び完全アウトソール要素を有する単体シューアッパー組立体の背面図を、人の足の断面と併せて示す。
【図５２】図５２は、アウトソール要素、並びに部分アウトソール要素及び完全アウトソール要素を有する単体シューアッパー組立体の背面図を、人の足の断面と併せて示す。
【図５３】図５３は、アウトソール要素、並びに部分アウトソール要素及び完全アウトソール要素を有しない単体シューアッパー組立体の背面図を、人の足の断面と併せて示す。
【図５４】図５４は、完全層及び第二完全層を有する単体シューアッパー組立体の背面図を、人の足の断面と併せて示す。
【図５５】図５５は、部分アウトソール要素の斜視図を示す。
【図５６】図５６は、アウトソール要素の断面図を示し、このアウトソール要素は「アーチ」を組み込んでいる。
【図５７】図５７は、２つ以上の別個のアウトソール構成要素から組み立てられ、且つ安定板によって接合されるアウトソール要素の断面図を示す。
【図５８】図５８は、安定板の断面を示す。
【図５９】図５９は、様々な形状、サイズ及び生地のクッション基材要素を含むクッション基材の斜視図を示す。図示する構造は定型化した簡略な表現で示す。
【図６０】図６０は、様々な形状、サイズ及び生地のクッション基材要素がクッション基材から裁断された、クッション基材の斜視図を示す。図示する構造は定型化した簡略な表現で示す。
【図６１】図６１は、クッション基材から裁断した様々な形状、サイズ及び生地のクッション基材要素の斜視図を示す。図示する構造は定型化した簡略な表現で示す。
【図６２】図６２は、シーティング基材と位置合わせされる、様々な形状、サイズ及び生地のクッション基材要素を含むクッション基材の斜視図を示す。図示する構造は定型化した簡略な表現で示す。
【図６３】図６３は、シーティング基材接触表面に位置合わせして位置決めされた、様々な形状、サイズ及び生地のクッション基材要素を含むクッション基材の斜視図を示す。図示する構造は定型化した簡略な表現で示す。
【図６４】図６４は、シーティング基材接触表面に位置合わせして位置決めされたクッション基材組立体を含むクッション基材の斜視図を示す。図示する構造は定型化した簡略な表現で示す。
【図６５】図６５は、シーティング基材上に位置合わせされるクッション基材の斜視図を示す。図示する構造は定型化した簡略な表現で示す。
【図６６】図６６は、シーティング基材接触表面上に位置合わせして位置決めされたクッション基材組立体を伴うクッション基材の斜視図を示す。図示する構造は定型化した簡略な表現で示す。
【図６７】図６７は、シーティング基材接触表面上に位置合わせして位置決めされた、様々な形状、サイズ及び生地のクッション基材要素を伴うクッション基材の斜視図を示す。図示する構造は定型化した簡略な表現で示す。
【図６８】図６８は、２つの異なる種類の材料から作製されるクッション基材要素の配列を作り出すため代替的なクッション基材と組み合わされるクッション基材の斜視図を示す。図示する構造は定型化した簡略な表現で示す。
【図６９】図６９は、２つの異なる種類の材料から作製されるクッション基材要素の配列を作り出すため代替的な部分クッション基材と組み合わされるクッション基材の斜視図を示す。図示する構造は定型化した簡略な表現で示す。
【図７０】図７０は、補強構造と組み合わされるクッション基材の斜視図を示し、この補強構造はクッション基材組立体と係合する。図示する構造は定型化した簡略な表現で示す。
【図７１】図７１は、クッション基材組立体上に装着される補強構造の斜視図を示す。図示する構造は定型化した簡略な表現で示す。
【図７２】図７２は、クッション基材組立体と位置合わせされてそれを係合する補強構造の斜視図を示し、このクッション基材組立体はシーティング基材の表面上に位置決めされている。図示する構造は定型化した簡略な表現で示す。
【図７３】図７３は、クッション基材組立体に装着された補強構造の斜視図を示し、このクッション基材組立体は、シーティング基材の表面上に位置決めして糊着されている。クッション基材及びクッション基材要素は定型化した簡略な表現で示す。図示する構造は定型化した簡略な表現で示す。
【図７４】図７４は、装置基材を作製するよう裁断及び付形されたラミネートの斜視図を示す。図示する構造は定型化した簡略な表現で示す。
【図７５】図７５は、クッション基材組立体上に装着される装置基材の斜視図を示す。図示する構造は定型化した簡略な表現で示す。
【図７６】図７６は、クッション基材組立体上に装着された装置基材の斜視図を示す。図示する構造は定型化した簡略な表現で示す。
【図７７】図７７は、シューアッパーの斜視図を示す。
【図７８】図７８は、シューアッパーの斜視図を示す。
【図７９】図７９は、上にクッション基材要素を糊着したシーティング基材の斜視図を示す。図示する構造は定型化した簡略な表現で示す。
【図８０】図８０は、シーティング基材の折り目に沿って折り曲げられて三次元形状を形成するシーティング基材の前リーフ、右リーフ、及び左リーフの斜視図を示す。図示する構造は定型化した簡略な表現で示す。
【図８１】図８１は、代替的な形状及びサイズを有する２つの補強構造の斜視図を示す。図示する構造は定型化した簡略な表現で示す。
【図８２】図８２は、折り曲げられたシーティング基材に対し、１つ以上の穴が１つ以上のクッション基材要素に係合するように位置決めされた補強構造の斜視図を示す。図示する構造は定型化した簡略な表現で示す。
【図８３】図８３は、折り曲げられたシーティング基材に対し、１つ以上の穴が１つ以上のクッション基材要素に係合するように位置決めされた補強構造の斜視図を示す。図示する構造は定型化した簡略な表現で示す。
【図８４】図８４は、折り曲げられたシーティング基材の外面において上にクッション基材要素を糊着したシーティング基材の斜視図を示す。図示する構造は定型化した簡略な表現で示す。
【図８５】図８５は、折り曲げられたシーティング基材の外面において上にクッション基材要素を糊着したシーティング基材の斜視図を示す。図示する構造は定型化した簡略な表現で示す。
【図８６】図８６は、折り曲げられたシーティング基材の外面において上にクッション基材要素を糊着したシーティング基材の斜視図を示す。図示する構造は定型化した簡略な表現で示す。
【発明を実施するための形態】
【００１０】
本願で使用されるとき、「単体」フットウェアは、種々の材料のシートが二次元的に置かれた層の予め裁断された組立体であって、フットウェアの形状に折り曲げられ、且つ一体に接合又は綴着されて永久的な形状を形成する組立体を使用した、フットウェアの少なくともアッパー部分、好ましくはアウトソール部分を含むシューズ全体の構成を指す。シートの層は、好適に異なる寸法及び形状の、及び／又は異なる種類の材料から構成された様々なオブジェクトを、シート上で戦略的に配置される場所に組み込み、従って組立体がシューズの形状に折り曲げられたとき、異なる材料シートの組み合わせ及びそこにあるオブジェクトにより、折り曲げ可能に構成されたシューズの異なる範囲又は区画に特定の「性質」及び性能特性が植え付けられる。「単体」フットウェアは、シューアッパーを形成するのに様々な構成要素又は異なる材料のスワッチを断片ごとに綴じ合わせる必要はない。むしろアッパーの全体が予め裁断されて二次元平面に沿って広げられ、三次元的に折り曲げられることでシューズの形状をとる。
【００１１】
本明細書で使用されるとき、「一様でない」又は「非対称の」フットウェアは、シートの異なる範囲、区画、又は領域が異なる特性を有するようにシートに戦略的に組み込まれる種々の色、厚さ、生地、弾力性、柔軟性、通気性などの様々なオブジェクト又は材料の使用を指す。かかる区画ごとの違いをシートに提供することにより、折り曲げて構成されたシューズは、シューズが実質的に連続するコンポジット材料シートから組み立てられるにもかかわらず、シートの組立体がショー（ｓｈｏｗ）の形状に折り曲げられるとシートに戦略的に組み込まれたオブジェクト又は異なる種類の材料がその種々の「特性」を呈するため、シューズの異なる範囲において種々の特性を示す。
【００１２】
フットウェアの製造は伝統的に多大な労働力及び時間を要する工程であり、多数の別個の部品及び部分構成要素を裁断し、綴着し、糊着し、及び組み立てる必要がある。図１は、３つの主要な構成要素：シューアッパー１（通常は布、革、又は他の好適な合成材料で作製される）；緩衝ミッドソール２；及びアウトソール３（通常はゴム、プラスチック、革、又は他の耐久性材料で作製される）を組み立てることによる従来のフットウェア作製ステップを示す。
【００１３】
図２に示すとおり、通常シューアッパー１は、多数の部分構成要素を裁断して組み立て、それらの部分構成要素を一体に縫着、綴着及び糊着することにより作製される。
【００１４】
従来は、ヒールクォーター８は、ヒールクォーター構成要素外層９Ａをヒールクォーター構成要素パディング９Ｂ及びヒールクォーター構成要素内側ライニング９Ｃに対し、別個に裁断して糊着又は縫着することにより作製される。同様に、シュー「タング」構成要素４は、タング外層５Ａをタングパディング５Ｂ及びタング内側ライニング５Ｃに対し、別個に裁断して糊着又は縫着することにより作製される。ヒールカウンター６は、ヒールカウンター外層７Ａ、ヒールカウンター構成要素７Ｂ、及びヒールカウンター内側ライニング７Ｃを、裁断して一体に糊着又は縫着することにより作製される。トウキャップ構成要素１０Ａ及びトウキャップ補強材１０Ｂは一体に糊着又は縫着され、次にシューバンプ１１Ａに糊着又は縫着され得る。他の部分構成要素も同様に、個別的な部品又は材料スワッチを別個のステップで組み立て、綴着し、又は糊着することが必要である。
【００１５】
従来は、シューアッパー１を形成するには様々な部分構成要素を一体に糊着又は縫着する必要がある。単に例として、別個のステップで、トウキャップ構成要素１０Ａをシューバンプ１１Ａ及びトウキャップ補強材１０Ｂに糊着又は縫着しなければならず；シューバンプ１１Ａをフロントクォーター構成要素１１Ｂに糊着又は縫着しなければならず；シュータング構成要素４をシューバンプ１１Ａに糊着又は縫着しなければならず；及びヒールカウンター６及びヒールクォーター８をフロントクォーター構成要素１１Ｂに糊着又は縫着しなければならい。
【００１６】
部分的に組み立てられたシューアッパー１が、次にインナーソール板１２に綴着又は糊着され、シューアッパー１が形成される。
【００１７】
完成した、又は完全に組み立てられたシューアッパー１を図３に示す。
【００１８】
その後、図４に示されるとおり、シューアッパー１がミッドソール２に対し、及びアウトソール３に対し、ミッドソール２がシューアッパー１とアウトソール３との間に「挟まれる」ように綴着又は糊着される。
【００１９】
最後に、完成したシューアッパー−ミッドソール−アウトソール組立体１４に、図５に示される中敷き１５が挿入され、位置決めされ、又は糊着される。
【００２０】
上記に示すとおり、従来のシューズ組立て及び作製方法は多数の別個の部品及び部分構成要素を裁断し、綴着し、糊着し、及び組み立てる必要があり、比較的時間のかかる、大きい労働力を要するものである。シューズの特定の部分又は部品に異なる又は追加的な性質（例えば、トウキャップ範囲に対するさらなるクッション性若しくは緩衝性、又はヒール範囲に対するさらに高い剛性、又はバンプ範囲に対するさらに高い柔軟性若しくは通気性）を付与するには、製造者はさらなる部品を作製し、それらの部品をシューアッパー又はアウトソール組立体に綴着し、糊着し、又は組み付けなければならず、最終製品の費用及び複雑性がさらに増す。
【００２１】
本発明は、材料シートを平面に沿って重層し、それを裁断又は付形し；それらを貼着、装着、溶着、又は糊着し；及び得られる複合的なコンポジット材料又はコンポジット様材料の重なり合ったシートを三次元形状に折り曲げて組み立てることでフットウェアの本体構造を形成することにより作製されるフットウェアに関する。以下でさらにより詳細に記載するとおり、この単体構成フットウェアは軽量であり、及び別途一体に縫着、綴着、又は糊着しなければならない個別部品の数が少なくて済み、より短時間で、且つより低コストで組み立てることができる。さらに、単体構成フットウェアの構成要素は様々な材料のシートを平坦に並べることにより製造され、及び構成要素は並べられてかかる材料に係合又は接着され得るため、様々な電子的、機械的、又は電気機械的装置及び構成要素を極めて容易にフットウェア組立体に組み込むことができる。
【００２２】
従来から、一様に厚い本体構造のフットウェアが射出成形などによって作製され得ることは公知である。例えば、ゴム製ガロッシュ又はゴム製靴カバーがこの説明に該当し得る。しかしながらこうした種類のフットウェアは、数層のシートを有するコンポジット材料で作製されるものではない。本発明は、シューズの異なる部品に異なる性能特性を備える材料など、材料の非一様性の組込みを導入する。例えば、単体シューズの別個の部品又は範囲は一様でない厚さを有しても、又は一様な厚さを有してもよいが、それらは異なるコンポジット、すなわち発泡体及びメッシュ、それに対して発泡体及び革、又は２つの布若しくはメッシュ基材の間に挟まれた発泡体ケージを有する発泡体などで作製され得るため、異なる特性を有し得る。
【００２３】
従来どおり作製されるフットウェアの厚さ又は他の構成上の特性の非対称性は、異なる種類の材料から構成されるスワッチ若しくは構成要素を一体に糊着又は綴着する追加的なステップをとることによるか、又はプラスチック若しくは熱可塑性ポリウレタンで作製される追加的な構成要素などの、望ましい追加的な構成要素若しくはスワッチをフットウェアに対し、追加的な別個のステップで糊着又は綴着することにより導入されるが、そのようなステップにより、フットウェアを組み立てるコスト、時間、及び複雑性が増す。
【００２４】
従って従来から、異なる材料のスワッチを綴着又は糊着することにより、シューズの異なる部品が異なる特性を有するように（例えば、弾性を有するトウ範囲と、それに対して剛性のヒール範囲など）シューズを作製することは可能である。しかしながら、材料全面にわたり、又は材料全体を通じて異なる厚さ及び性能特性を有する構成要素材料を重層したシートから構成される１つの折り曲げられた連続的なコンポジット材料から少なくともアッパーが作製される本体構造を含むフットウェアは知られていない。好ましい実施形態において、本発明は、構成要素材料の重層シートから構成される一つの折り曲げられた連続的なコンポジット材料で少なくともアッパーが作製され、且つ重層された材料シートは厚さ及び／又は性能特性が「非対称」である単体フットウェア構成に関し、ここでコンポジット材料の単一の連続的なシートはフットウェアの様々な範囲における一様でない組成、厚さ、及び構成要素材料を有する。
【００２５】
コンポジット材料に使用する構成要素材料の形状及び種類、並びにコンポジット材料のそれぞれの個別的な層で裁断するパターンを操作することにより、本発明は、限定なしにフットウェアの様々な指定される領域又は範囲における種々の厚さ、生地、剛性、柔軟性、硬さ、色、通気性、緩衝性、及び耐摩耗性などについて、様々な非一様性又は非対称性をシューズの所望の範囲又は部品に導入する方法を提供する。従来の手段を使用すると、フットウェアのこれらの側面を制御するには、別個の又は追加的なステップで、異なる材料及びサイズから作製される複数の追加的なスワッチ若しくは部品を一体に綴着若しくは糊着するか、又は異なる材料若しくは生地に違いのある材料をフットウェアの外側本体に綴着若しくは糊着することが必要となり得る。従来のシューズ作製方法は、典型的にはフットウェアの本体への異なる材料又は生地に違いのある材料の追加的な綴着又は糊着が必要であり得る。これはすなわち少なくとも２つの異なること、すなわち（１）異なる材料又は材料の組み合わせで作製される異なるスワッチを綴着又は糊着すること、又は（２）材料の追加的な部材片（ある種のプラスチック製トリミング材など）をシューズの外表面に別個のステップで綴着又は糊着することを意味し、これらはいずれもフットウェアを組み立てる費用、時間、及び複雑性を増加させるものである。
【００２６】
この態様では、単体シューズが折り曲げられて構成された後、単体シューズにかかるトリミング材及び追加材料が任意選択により鋲、テープ、グルー又は継ぎ目により留められ得ることは企図されるが、単体シューズそれ自体が、単体シューズを構成するように折り曲げられる層に非対称の又は追加的な材料を組み込むように企図される。
【００２７】
本発明の別の態様において、この単体シューズは、層を折り曲げてシューズを作製した後、層を一体に接合するのに接合作業はただ一回行えば済む。かかる層の接合は、限定なしに一回限りの綴着、Ｖｅｌｃｒｏ（登録商標）、糊着などを含め、様々な方法によって行われ得る。
【００２８】
本発明はまた、折り曲げられて一つの継ぎ目で一体に接合された単一の連続構成で作製されるアッパー及びインソール（又はアッパー及びミッドソール又はアウトソール）を備えるシューズにも関する。特にシューズのアッパーは、単一の連続的な部材片から、しかしシューズの異なる範囲に異なる材料を含んで作製されてもよく、従ってかかる材料は層のコンポジットで作製されてもよく、そのためコンポジットは「複合体」と称することができる。
【００２９】
上記に記載したとおり、本発明は、本体を形成する一様なコンポジット材料の単一の部材片から作製され、単一の継ぎ目で一体に綴着される布と発泡体とが一体に混成されたコンポジットと、同じ材料から作製され、アッパーに綴着される別個のタングとを有する従来から公知のシューズ構成とは区別される。
【００３０】
単体シューアッパー組立体
【００３１】
図６〜図９は単体構成フットウェアの主要な構成要素を示す。
【００３２】
図６〜図７は単体シューアッパー３３の様々な任意選択の構成要素を示す。図８は組み立てられた単体シューアッパー３３を示す。
【００３３】
より具体的には、図６はとりわけ単体シューアッパー３３の構成要素、例えば、裁断され、重ね合わされ、且つ積層され、及び層状に位置決め、装着、糊着、又は縫着されてコンポジット材料又はコンポジット様材料を形成する様々な材料のシートを示す。
【００３４】
図６に示される単体シューアッパー３３の構成要素は、任意選択により、インソール要素１６；その配列がクッションパディング要素１９を形成する個別のクッションポッド要素２０；完全層２３；及び部分層２９を含む。
【００３５】
単体シューアッパー３３は、様々な形状に裁断された、又は予め裁断された材料シートを重層し、次にそれらを底部折り目２４及び上部折り目６０などの折り目に沿って折り曲げることにより組み立てられ、それにより三次元の単体シューアッパー３３が構成される。
【００３６】
図７及び図８は、図６に示される様々な構成要素から組み立てられた単体シューアッパー３３を示す。
【００３７】
図９は、単体シューアウトソール組立体の様々な任意選択の構成要素を示す。図９に示される単体アウトソール組立体の構成要素は、任意選択により、アウトソール層３４；その配列がアウトソールパディング要素３５を形成する、図２３に示されるソールポッド要素４８；ミッドソール要素３６；その配列が部分アウトソール要素３７を形成する、図２７に示される部分アウトソールキャップ５０；及び完全アウトソール要素３８を含む。
【００３８】
インソール要素
【００３９】
図１６は、底面１７を備える任意選択のインソール要素１６を示す。
【００４０】
図１７はインソール要素１６の断面を示す。図１７に示されるとおり、任意選択によりインソール要素１６の底面１７は開口部１８を含んでもよい。開口部１８は、図１８においても分かるとおり、任意選択により１つ以上のクッションポッド要素２０を係合又は嵌装する形状又はサイズにされてもよい。
【００４１】
インソール要素１６は任意選択によりクッション材料若しくは緩衝材料、又はソール若しくはシューズ全体に構造的な剛性を付与することを意図した材料で作製されてもよい。図６、図１６、及び図１７はインソール要素１６を平坦なものとして示すが、任意選択によりアーチ状であっても、傾斜していても、又は種々の形状、厚さ、及び型で作製されてもよい。或いは、及び任意選択により、インソール要素１６には、図７４〜図７６に示されるとおりそこに電子的、機械的、又は電気機械的装置が埋設又は接着されていてもよい。
【００４２】
図１６は単一のインソール要素１６を示すが、単体フットウェアは任意選択により複数のインソール要素を層状に、又は他の構成要素の間に挟まれて含んでもよい。
【００４３】
さらに、図１７は底面１７にある開口部１８を示すが、この開口部は任意選択でインソール要素１６の上部に位置してもよい。
【００４４】
クッションポッド要素及びクッションパディング要素
【００４５】
図１０は、その配列がクッションパディング要素１９を形成する個別のクッションポッド要素２０をさらに詳細に示す。
【００４６】
クッションポッド要素２０は、好ましくは弾性発泡体又はゴムから作製される。任意選択により、クッションポッド要素２０はまた、プラスチック、エラストマーなど、及びかかる材料の任意の組み合わせを含む他の緩衝材料で作製されてもよい。この目的上、広範な材料が用いられ得ることが理解され、それらの材料としては、限定なしに、エチレン酢酸ビニル（「ＥＶＡ」）発泡体、オレフィン又はポリオレフィン発泡体、ポリウレタン（「ＰＵ」）発泡体、ウレタンベースの発泡体、熱可塑性発泡体、又は好適な緩衝特性、好適な剛性、又は穿刺若しくは摩耗に対する抵抗性などを備える他の材料（任意のかかる材料の組み合わせを含む）が挙げられる。クッションポッド要素２０は任意選択により中実であっても、又は有孔であってもよい。機能的にはクッションポッド要素は、クッションポッド要素の種類及び材料、クッションポッド要素の形状、そのサイズ（厚さを含む）、その数、その配置、及び互いの、又は他の構成要素に対するその密接度に応じて、衝撃に対するクッションとして機能したり、又は熱若しくは冷温の遮蔽を提供したり、又は通気若しくは空気循環を提供したり、又は組立体全体に種々の剛性若しくは可撓性を提供したりすることができる。
【００４７】
クッションポッド要素２０は、単に例として図６８及び図６９に示されるものなどの組み合わせを含め、材料の異なる組み合わせ、並びに種々のサイズ及び形状を有する部分構成要素の組み合わせから作製されてもよいことは理解されなければならない。単に例として、クッションポッド要素は２つ以上の異なる種類の材料を結合又は接合することにより作製されてもよい。
【００４８】
図６及び図１０は係止ポッド要素２２を示し、これらは、図６及び図１１に示される係止ポッド開口部２５を係合するサイズ、形状、及び位置にされ得る。図６は１つ以上のクッションポッド要素２０に取り付けられる係止ポッド要素２２を示すが、係止ポッド要素は任意選択により自立したものであって、１つ以上の完全層、部分層、又はインソール要素に接着又は装着されてもよい。さらに、係止ポッド開口部２５は任意選択により１つ以上の完全層要素、部分層要素、又はインソール要素に位置してもよい。
【００４９】
任意選択により、１つ以上のクッションポッド要素２０は、図６及び図１１に示されるポッド嵌装開口部２６を係合するサイズ、形状、及び位置にされ得る。図６及び図１１は完全層２３に配設された、又は切り抜かれたポッド嵌装開口部２６を示すが、ポッド嵌装開口部は任意選択により１つ以上の完全層、第二外側層、又はインソール要素に位置してもよい。任意選択により、単体フットウェアが任意選択により互いに上下に重層又は位置決めされる２層以上のクッションパディング要素を含む場合には、ポッド嵌装開口部２６はさらには他のクッションポッド要素又はクッションパディング要素に配設され、又は切り抜かれてもよい。
【００５０】
図６に示されるとおり、本発明の一実施形態では、１つ以上のクッションポッド要素２０の底面２１は完全層２３の上面２７に隣接して置かれ、及び１つ以上のクッションポッド要素２０は任意選択により上面２７に結合し、糊着し、縫着し、装着し、又は接着させてもよい。或いは、及び上記に考察されるとおり、１つ以上のクッションポッド要素２０はまた、ポッド嵌装開口部２６を係合するように作製されてもよい。
【００５１】
単に例として、図１０に示されるクッションポッド要素２０などのクッションポッド要素は、組立て完了後のフットウェアの異なる部品又は部分に種々の性質及び特性（単に例として、異なる程度の緩衝、構造的剛性、通気、被覆範囲など）を提供するように、様々な形でサイズ、形状、及び位置が決められ、及び異なる材料から作製され得ることが理解される。クッションポッド要素２０は、図１０では楕円柱の形状として示される。しかしながら、クッションポッド要素は様々な形状及び寸法を（不規則な又は非対称の形状を含め）とってもよく、及びシューズの本体構造を形成するコンポジット材料の異なる範囲に位置決めされてもよいことが理解される。単に例として、ヒールカラークッション要素４０は、任意選択により適切に付形及び位置決めすることで、組立体全体が折り曲げられたときにそれが意図した大きさの剛性、構造的完全性、適切な形状、又はクッション性を完成したシューズの「ヒールカラー」範囲（ヒールクォーター又はヒールカウンターなど）に提供するようにされてもよい。同様に、及び任意選択により、ヒールクッション要素４７、側部クッション要素４４、及びトウキャップクッション要素４１を個別的に、又は異なる組み合わせで含めて、シューズのそれぞれヒール、側壁、又はトウキャップ範囲に種々の大きさの剛性、構造的完全性、適切な形状、又はクッション性を提供してもよい。図１０はヒールカラークッション要素４０、ヒールクッション要素４７、側部クッション要素４４、及びトウキャップクッション要素４１を単一の部材片から作製されるものとして示すが、これらは任意選択により、側部クッション部分構成要素３９などの複数の部分構成要素から作製されてもよい。
【００５２】
完全層
【００５３】
図６及び図１１は完全層２３を示し、これは任意選択により異なる種類の材料、例えば、天然又は合成の布、天然又は合成の革、メッシュ、可撓性又は軟質のプラスチック、ラテックス、シリコーン、他のゴム材料、合成繊維又はコンポジット、又は前述の任意の組み合わせなどで作製されてもよく、そのような材料が、任意選択により組立体に異なる程度の通気性、伸縮性、緩衝性、重量、及び構造的完全性を付与し得る。任意選択により、完全層要素はまた、ＥＶＡ発泡体、オレフィン又はポリオレフィン発泡体、ＰＵ発泡体、ウレタンベースの発泡体、熱可塑性発泡体、エラストマー、又は好適な緩衝特性、好適に剛性、又は穿刺若しくは摩耗に対する抵抗性などを備えた他の材料（任意のかかる材料の組み合わせを含む）のシートから作製されてもよい。
【００５４】
図６は単一の完全層２３を示すが、２つ以上の完全層が使用され、互いに上下に重ねて若しくは並べて重層され、異なる部分構成要素（クッションポッド要素２０若しくはクッションパディング要素１９、又は部分層２９など）と共に、若しくはその間に挟まれ、若しくは重層され、又は互いに隣接して位置決めされてもよいことが理解される。単に例として、完全層２３は任意選択により別の完全層と積み重ねられ、その２つの完全層の間に部分層又はクッションポッド要素が挟まれてもよく；或いは、及び任意選択により、完全層２３は１つ以上の部分層と積み重ねられて重層されてもよい。
【００５５】
単に例として、完全層２３に適切な材料又は材料の組み合わせは、任意選択により、シューズ組立体に組み込まれる完全層要素及び部分層要素の数に応じて、並びに完全層要素がシューズの外表面に面するのか、又はシューズの内表面に面するのか（すなわち、足又は皮膚と接触するか）に応じて選択されてもよい。
【００５６】
或いは、及び任意選択により、完全層２３は、図７４〜図７６に示されるとおり、そこに電子的、機械的、又は電気機械的装置を埋設又は接着したものであってもよい。
【００５７】
完全層２３の１つ以上のシートは任意選択により、それを底部折り目２４に沿って折り曲げることができ、それにより単体シューアッパー３３に適切な形状をした三次元構造を形成することを可能にする形状に裁断され得ることが理解される。任意選択により完全層２３は、例として図６に示されるとおりの上部折り目６０など、さらなる折り目を含み得る。
【００５８】
単に例として、図６は、本発明の一実施形態における平坦に広げられた完全層２３の一部として任意選択の完全層タング要素２８を示す。図７は、完全層２３が単体シューアッパー３３に適切な形状をした三次元構造に折り曲げられた後の、同じ任意選択の実施形態における同じ完全層タング要素２８を示す。
【００５９】
上記に考察されるとおり、及び図１１に示されるとおり、完全層２３は任意選択により、１つ以上のクッションポッド要素２０を係合するサイズ及び位置を有するポッド嵌装開口部２６と、１つ以上の係止ポッド要素２２を係合するサイズ及び位置を有する係止開口部２５とを含み得る。ポッド嵌装開口部要素及び係止開口部要素は、単に例としてヒール範囲４２、インナーソール又はシューズの「底」に対応する範囲、ヒールクォーター又はカウンター、又はバンプ範囲を含め、完全層２３の様々な範囲に位置し得る。
【００６０】
完全層２３が折り目に沿って折り曲げられると、継ぎ目が任意選択により溶着若しくは融着、糊着、又は綴着されてもよく；或いは、及び任意選択により、別の材料片（布、革、ゴム、熱可塑材など）が継ぎ目を覆って置かれ、融着、糊着、又は綴着されてもよい。
【００６１】
部分層
【００６２】
図６及び図１２は部分層２９を示し、これもまた任意選択により異なる種類の材料、例えば、天然又は合成の布、天然又は合成の革、メッシュ、可撓性又は軟質のプラスチック、ラテックス、ネオプレン、シリコーン、他のゴム材料、合成繊維又はコンポジット、又は前述の任意の組み合わせから作製されてもよく、そのような材料が、任意選択により組立体に異なる程度の通気性、伸縮性、緩衝性、重量、及び構造的完全性を付与し得る。また任意選択により、部分層要素もまた、ＥＶＡ発泡体、オレフィン又はポリオレフィン発泡体、ＰＵ発泡体、ウレタンベースの発泡体、熱可塑性発泡体、エラストマー、又は好適な緩衝特性、好適に剛性、又は穿刺若しくは摩耗に対する抵抗性を備えた他の材料など（任意のかかる材料の組み合わせを含む）のシートから作製されてもよい。
【００６３】
図６は単一の部分層２９を示す。しかしながら、２つ以上の部分層が使用され、互いに上下に重ねて若しくは並べて重層され、異なる部分構成要素（クッションポッド要素２０若しくはクッションパディング要素１９、又は完全層２３など）と共に、若しくはその間に挟まれ、若しくは重層され、又は互いに隣接して位置決めされてもよいことが理解される。単に例として、部分層２９は任意選択により完全層と積み重ねられ、その材料層の間にさらなる完全層又は部分層又はクッションポッド要素が挟まれてもよく；或いは、及び任意選択により、部分層２９は１つ以上の部分層と積み重ねられて重層されてもよい。
【００６４】
部分層２９に適切な材料又は材料の組み合わせは、任意選択により、シューズ組立体に組み込まれる完全層要素及び部分層要素の数に応じて、並びに部分層要素がシューズの外表面に面するのか、又はシューズの内表面に面するのか（すなわち、足又は皮膚と接触するか）に応じて選択されてもよい。
【００６５】
或いは、及び任意選択により、部分層２９は、図７４〜図７６に示されるとおり、そこに電子的、機械的、又は電気機械的装置を埋設又は接着したものであってもよい。
【００６６】
部分層２９の１つ以上のシートは任意選択により、それを部分層上部折り目４３及び部分層底部折り目３０に沿って折り曲げることができ、それにより単体シューアッパー３３に適切な形状をした三次元構造を形成することを可能にする形状に裁断され得ることが理解される。
【００６７】
部分層２９もまた、任意選択により、係止ポッド要素２２を係合するサイズ、形状及び位置を有し得る部分層係止ポッド開口部３１を含み得る。図６及び図１２には示されないが、部分層２３もまた、１つ以上のクッションポッド要素２０を係合するサイズ、形状、及び位置の、ポッド嵌装開口部２６と同様の開放部を含み得る。部分層係止ポッド開口部要素及びポッド嵌装開口部要素は、部分層２９の様々な範囲に位置し得る。
【００６８】
任意選択により部分層２９は、完全層２３と接触する一方でシューズの外表面に面するように位置決め又は重層されてもよい。また任意選択により、部分層２９は、完全層２３が折り曲げられた後のその「継ぎ目」を覆うようにサイズ、形状、位置が決められ、折り曲げられ、及び溶着、綴着、又は糊着されてもよい。これに関連して部分層２９は、任意選択により図６に示される部分層側部要素３２などの拡張部を含む形状にされ得る。任意選択により、部分層側部要素３２は、部分的に、又は全体として、完全層２３又は部分層２９の他のインスタンス（ｉｎｓｔａｎｃｅ）に折り重なり、「継ぎ目」を被覆若しくは封鎖してもよく、又はそれを覆って溶着、綴着、糊着、若しくは取付けされてもよい。
【００６９】
図７は、組み立てられた単体シューアッパー３３の任意選択の一実施形態を示し、ここでは部分層２９が完全層２３の下側に位置決めされ、及び部分層２９の一部分（例えば、部分層側部要素３２など）が、完全層２３が三次元構造に折り曲げられたときに組立体に設けられる「継ぎ目」に折り重なってそれを封鎖し得る。
【００７０】
加えて、及び任意選択により、部分層側部要素３２はまた、コンポジット材料を含めた好適な弾性又は伸縮性材料で作製し、単体シューアッパー組立体に対して、及び完全に組み立てられた単体構成フットウェアに対してさらなる構造的完全性を提供するようなサイズ、形状、位置にして単体アッパーシューズ組立体に接着させてもよい。
【００７１】
シューアッパー組立体の例
【００７２】
図１３は本発明の一つの任意選択の実施形態を示し、ここでは、とりわけ複数のクッションポッド要素２０、ヒールカラークッション要素４０、側部クッション要素４４、及び側部クッション部分構成要素３９を組み込むクッションパディング要素１９が、完全層２３に対して位置決めされる。
【００７３】
図１４は本発明の一つの任意選択の実施形態を示し、ここではクッションパディング要素１９が完全層２３に係合、糊着、又は接着される。
【００７４】
図１５は本発明の一つの任意選択の実施形態を示し、ここではクッションパディング要素１９が完全層２３に係合、糊着、又は接着された後、完全層２３が単体シューアッパー３３に適切な形状をした三次元構造に、とりわけ上部折り目６０及び底部折り目２４に沿って折り曲げられる。より具体的には、図１５は、任意選択により折り曲げられたクッションパディング要素及び完全層組立体に対する人の足４６の断面を示す。図１５はまた、ヒールクッション要素４７、及び係止ポッド開口部２５に係合した係止ポッド要素２２の断面図も示す。
【００７５】
図１８は本発明の一つの任意選択の実施形態を示し、ここではインソール要素１６が、折り曲げられたクッションパディング要素及び完全層組立体に隣接して位置決めされる。図１８はまた、本発明の任意選択の実施形態の別の態様も示し、ここでは部分層２９が、折り曲げられたクッションパディング要素及び完全層組立体に隣接して位置決めされる。
【００７６】
図１９は本発明の一つの任意選択の実施形態を、任意選択により折り曲げられた重層コンポジット組立体に対する人の足４６の断面と併せて示し、ここでは、インソール要素１６と、クッションポッド要素の配列２０と、完全層２３と、部分層２９との重層コンポジット組立体が単体シューアッパー３３に適切な形状をした三次元構造に折り曲げられる。図１９はまた、任意選択により複数のクッションポッド要素２０と係合するインソール要素１６；ヒールクッション要素４７；及び任意選択により部分層係止ポッド開口部３１と、及び係止ポッド開口部２５と係合する係止ポッド要素２２の断面図も示す。図１９はさらに、ヒールカラークッション要素４０の断面図、及び組立体全体の部分層上部折り目４３及び部分層底部折り目３０に沿った折り曲げを示す。
【００７７】
図２０は組み立てられた単体シューアッパー３３を示す。単体シューアッパー３３が組み立てられた後、任意選択により組立体は、従来の方法を用いて製造されるミッドソール又はアウトソールと綴着又は糊着され得る。
【００７８】
或いは、及び任意選択により、単体シューアッパー３３はさらに以下に記載する単体シューアウトソール組立体と組み立てられてもよく、それにより単体構成フットウェアが形成され得る。
【００７９】
単体シューアウトソール組立体
【００８０】
上記に記載したとおり、図９は単体アウトソール組立体の様々な任意選択の構成要素、例えば、アウトソール層３４；その配列がアウトソールパディング要素３５を形成するソールポッド要素４８；ミッドソール要素３６；その配列が部分アウトソール要素３７を形成する部分アウトソールキャップ５０；及び完全アウトソール要素３８を示す。単体シューアウトソール組立体は前述の構成要素の１つ以上、又はそれらの組み合わせを使用して作製され得る。
【００８１】
図２１及び図２２は任意選択のアウトソール層３４を示す。図３１に示されるとおり、アウトソール層３４は任意選択により、１つ以上のソールポッド要素４８を係合するサイズ、形状、及び位置にされるアウトソール層開口部６１を含み得る。アウトソール層３４は任意選択により、天然又は合成の布、天然又は合成の革、メッシュ、可撓性又は軟質のプラスチック、硬質のプラスチック又はゴム、ラテックス、ネオプレン、シリコーン、他のゴム材料、合成繊維又はコンポジット、又は前述の任意の組み合わせから作製されてもよく、そのような材料が、任意選択により組立体に異なる程度の通気性、伸縮性、緩衝性、重量、及び構造的完全性を付与し得ることが理解される。
【００８２】
或いは、及び任意選択により、アウトソール層３４は、図７４〜図７６に示されるとおりそこに電子的、機械的、又は電気機械的装置を埋設又は接着したものであってもよい。
【００８３】
図２３及び図２４は、その配列がアウトソールパディング要素３５を形成する任意選択のソールポッド要素４８を示す。任意選択によりソールポッド要素４８は発泡体又はゴム、又はその他の、例えばプラスチック、エラストマーなど、及びかかる材料の任意の組み合わせを含めた緩衝材料で作製されてもよい。機能的にはクッションポッド要素は、個々のソールポッド要素のサイズ（厚さを含む）、種類、及び材料、その形状、その数、その配置、及び互いの、又は他の構成要素に対するその密接度に応じて、衝撃に対するクッションとして機能したり、又は熱若しくは冷温の遮蔽を提供したり、又は通気若しくは空気循環を提供したり、又は組立体全体に種々の剛性若しくは柔軟性を提供したりし得る。
【００８４】
ソールポッド要素４８は、限定なしに図６８及び図６９に示されるものと同様の構成を含め、材料の異なる組み合わせ、並びに種々のサイズ及び形状を有する部分構成要素の組み合わせから作製されてもよいことが理解されなければならない。
【００８５】
本発明の一実施形態において、任意選択により１つ以上のソールポッド要素４８は、ミッドソール要素３６のミッドソール開口部４９に係合するサイズ、形状、及び位置にされる。
【００８６】
図２５及び図２６は任意選択のミッドソール要素３６を示す。任意選択により、ミッドソール要素３６はミッドソール開口部４９を含んでもよく、或いはそれに代えて又は加えて、１つ以上のソールポッド要素４８を係合するように適切な形状をしていてもよい。
【００８７】
任意選択により、ミッドソール要素３６は発泡体若しくはゴム、又はその他の、プラスチック、エラストマーなど、及びかかる材料の任意の組み合わせを含めた緩衝材料で作製されてもよい。機能的にはミッドソール要素３６は、ミッドソール要素３６の作製に使用されるサイズ（厚さを含む）、種類、及び材料に応じて、衝撃に対するクッションとして機能したり、衝撃を吸収したり、又は組立体全体に種々の剛性若しくは柔軟性を提供したりし得る。
【００８８】
或いは、及び任意選択により、ミッドソール要素３６は、図７４〜図７６に示されるとおりそこに電子的、機械的、又は電気機械的装置を埋設又は接着したものであってもよい。
【００８９】
図２７及び図２８は、その配列が部分アウトソール要素３７を形成する任意選択の部分アウトソールキャップ５０を示す。任意選択により、部分アウトソールキャップ５０は、発泡体若しくはゴム、又はその他の、プラスチック、エラストマーなど、及びかかる材料の任意の組み合わせを含めた緩衝材料で作製されてもよい。機能的にはクッションポッド要素は、個々の部分アウトソールキャップのサイズ（厚さを含む）、種類、及び材料、その形状、その数、その配置、並びに互いの、又は他の構成要素に対するその密接度に応じて、衝撃に対するクッションとして機能したり、衝撃を吸収したり、摩耗に対する保護を提供したり、又は組立体全体に種々の剛性若しくは柔軟性を提供したりし得る。
【００９０】
部分アウトソールキャップ５０は、限定なしに図６８及び図６９に示されるものと同様の構成を含め、材料の異なる組み合わせ、並びに種々のサイズ及び形状を有する部分構成要素の組み合わせから作製されてもよいことは理解されなければならない。
【００９１】
図２９及び図３０は任意選択のアウトソール要素３８を示す。任意選択により、アウトソール要素３８は、発泡体若しくはゴム、又はその他の、プラスチック、エラストマーなど、及びかかる材料の任意の組み合わせを含めた緩衝材料で作製されてもよい。機能的にはアウトソール要素３８は、アウトソール要素３８の作製に使用されるサイズ（厚さを含む）、種類、及び材料に応じて、衝撃に対するクッションとして機能したり、衝撃を吸収したり、摩耗に対する保護を提供したり、又は組立体全体に種々の剛性若しくは柔軟性を提供したりし得る。
【００９２】
任意選択によりアウトソール要素３８はアウトソールロック５１を含んでもよく、或いはそれに代えて又は加えて１つ以上のソールポッド要素４８又は部分アウトソールキャップ５０を係合するように適切な形状をしていてもよい。
【００９３】
或いは、及び任意選択により、アウトソール要素３８は、図７４〜図７６に示されるとおりそこに電子的、機械的、又は電気機械的装置を埋設又は接着したものであってもよい。
【００９４】
図３１は本発明の一つの任意選択の実施形態を、任意選択により折り曲げられた重層コンポジット組立体（すなわち単体シューアッパー３３）に対する人の足４６の断面と併せて示し、ここではインソール要素１６と完全層２３と部分層２９との重層コンポジット組立体が、単体シューアッパー３３に適切な形状をした三次元構造に折り曲げられる。図１９もまた、とりわけ、任意選択により複数のクッションポッド要素２０に係合するインソール要素１６の断面図を示す。
【００９５】
加えて、図３１は本発明の別の任意選択の態様を示し、ここではアウトソール層３４が任意選択によりアウトソール層開口部６１を介して複数のソールポッド要素４８に係合され；ソールポッド要素４８が任意選択により、図２５及び図２６に示されるミッドソール開口部４９を介してミッドソール要素３６に係合され；部分アウトソールキャップ５０がソールポッド要素４８に係合又は接着され；及び完全アウトソール要素３８が部分アウトソールキャップ５０又はソールポッド要素４８、又はその双方に係合又は接着される。
【００９６】
任意選択により、図３１に示されるとおり、単体シューアウトソール組立体は折り曲げられた重層コンポジット組立体（すなわち単体シューアッパー３３）に係合、綴着、糊着、又は接着される。本発明の一実施形態において、アウトソール層３４又は複数のソールポッド要素４８、又は双方が、単体シューアッパー３３に係合、綴着、糊着、又は接着される。
【００９７】
図３２及び図３３は本発明の別の任意選択の実施形態を示し、ここでは完全層２３が任意選択により、ソールポッド要素４８を係合する開放部、すなわち完全層ソールポッド開口部６３を含む。この実施形態において、ソールポッド要素４８はシューズを着用する人の足４６の裏と接触する。
【００９８】
さらに、図３２は本発明の別の任意選択の態様を示し、ここでは拡張アウトソール層５２が、ソールポッド要素４８及びミッドソール要素３６に折り重なって「巻き付く」又はそれを包み込むようなサイズ及び位置にされる。この任意選択の実施形態では、拡張アウトソール層５２は任意選択により拡張アウトソール層開口部６２を介して複数のソールポッド要素４８に係合される。
【００９９】
図３３は、ソールポッド要素４８及びミッドソール要素３６に折り重なって「巻き付けられた」又はそれを包み込む拡張アウトソール層５２を示す。
【０１００】
図３４及び図３７、及び図４４〜図４５に示されるとおり、部分アウトソール要素３７又は完全アウトソール要素３８、又は双方の組み合わせが、任意選択により図３２〜図３３に示される組立体に係合、綴着、糊着、又は接着されてもよい。
【０１０１】
従って図３５は、部分アウトソール要素３７に係合、綴着、糊着、又は接着された、図３２〜図３３に示される組立体を示す。図３６は、完全アウトソール要素３８に係合、綴着、糊着、又は接着された、図３２〜図３３に示される組立体を示す。最後に、図３７及び図４５は、部分アウトソール要素３７と完全アウトソール要素３８との組み合わせに係合、綴着、糊着、又は接着された、図３２〜図３３に示される組立体を示す。
【０１０２】
図３１〜図３７は単一の完全層２３を備える単体シューアッパー３３を示すが、任意選択により単体シューアッパー３３は２つ以上の完全層２３、又は１つ以上の部分層２９、又はその組み合わせを含み得ることが理解される。
【０１０３】
従って図３８〜図４０は、任意選択により完全層２３及び第二完全層５３を含んで組み立てられる単体シューアッパー３３の断面を示す。本発明のこの任意選択の実施形態では、とりわけヒールカラークッション要素４０及びヒールクッション要素４７が、任意選択により完全層２３と第二完全層５３との間に「挟まれる」。
【０１０４】
図４１〜図４３及び図４６に示されるとおり、部分アウトソール要素３７又は完全アウトソール要素３８、又は双方が、任意選択により図４０に示される組立体に係合、綴着、糊着、又は接着されてもよい。従って図４１は、部分アウトソール要素３７に係合、綴着、糊着、又は接着された、図４０に示される組立体を示す。図４２は、完全アウトソール要素３８に係合、綴着、糊着、又は接着された、図４０に示される組立体を示す。最後に図４３及び図４６は、部分アウトソール要素３７と完全アウトソール要素３８との組み合わせに係合、綴着、糊着、又は接着された、図４０に示される組立体を示す。
【０１０５】
完全アウトソール要素３８は、厚さ又は高さを含め、寸法及びサイズが様々であってよいことが理解される。本発明の一つの任意選択の実施形態において、完全アウトソール要素３８の周縁部は単体シューアッパー３３まで拡張するような形状及びサイズにされてもよい。図４７〜図４８は、拡張完全アウトソール要素５４に係合、綴着、糊着、又は接着された、図３３に示される組立体を示す。図４９は、拡張完全アウトソール要素５４に係合、綴着、糊着、又は接着された、図４０に示される組立体を示す。
【０１０６】
図４１〜図４３、及び図５０〜図５４にさらに示されるとおり、アウトソール層３４（図５０〜図５２ではアウトソール要素５５として指示される）又は拡張アウトソール層５２を、部分アウトソール要素３７、完全アウトソール要素３８、拡張完全アウトソール要素５４、又は前述の組み合わせと組み合わせることで、多数の任意選択の組み合わせ及び並べ換えが可能である。
【０１０７】
また任意選択により、本発明は図５３に示されるとおり、部分アウトソール要素３７、完全アウトソール要素３８、又は拡張完全アウトソール要素５４を含まなくてよいことも理解される。
【０１０８】
加えて、図４３、図４５、及び図５２に示されるとおり、単体シューアッパー３３の組立てに１つ以上の完全層２３を使用することで、多数の任意選択の組み合わせ及び並べ換えが可能である。単に例として、図４５に示されるとおり、任意選択により単一の完全層２３が使用されてもよく；又は図４６及び図５２に示されるとおり、任意選択により完全層２３及び第二完全層５３が共に使用されてもよく；又は図５４に示されるとおり、任意選択により完全層２３及び第二完全層５３がまたクッションパディング要素１９の複数のインスタンス、すなわち層と併せて使用されてもよい。
【０１０９】
図２９、図３０及び図５５は、アウトソール要素３８を単一の平坦な連続的部材片から作製されるものとして示す。しかしながら、任意選択によりアウトソール要素３８は三次元的に湾曲し、すなわち「アーチ状」であってもよいことが理解される。
【０１１０】
図５６はアウトソール要素３８の任意選択の実施形態の断面を示し、このアウトソール要素３８は「アーチ」を組み込んでいる。
【０１１１】
さらにまた、任意選択により、及び図５７に示されるとおり、アウトソール要素３８が２つ以上の別個のアウトソール構成要素５６及び５７から組み立てられてもよく、及び別個の構成要素が安定板５８により接合されてもよいことも理解される。
【０１１２】
図５８に示されるとおり、安定板５８は任意選択により安定板開口部５９を含んでもよく、又は１つ以上のソールポッド要素４８を係合するようなサイズ、形状、及び位置にされてもよい。
【０１１３】
単体シューアッパー及びアウトソール構成要素の組立て及び構成方法
【０１１４】
本発明はまた、上記に記載される単体構成フットウェアの作製方法にも関する。
【０１１５】
図５９〜図６１に示されるとおり、本発明の一実施形態では、クッション基材６９を使用して様々なサイズ及び形状のクッション基材要素が作製される。
【０１１６】
図５９に示されるとおり、クッション基材６９は基材裁断線１０２に沿って裁断される。
【０１１７】
図６０は本発明の一実施形態を示し、ここではクッション基材６９から様々なクッション基材要素が裁断され、クッション基材６９には穴１０３及び７６が残る。以下に記載するとおり、クッション基材６９から裁断された材料を使用して、任意選択により様々なサイズ及び形状のクッション基材要素が設けられ得る。穴１０３及び７６から材料が取り除かれたクッション基材６９は、図６０では残りのクッション基材７７として示される。
【０１１８】
図６０及び図６１は、任意選択によりクッション基材６９から作製される様々なクッション基材要素を示し、単に例として、底部基材要素１０４、側部基材要素６４、ヒールキャップ基材要素６５、及びヒールカラー基材要素６６が含まれる。図６１に示されるとおり、様々なクッション基材要素は互いに対して任意に位置決めされクッション基材組立体６７を形成する。
【０１１９】
本発明のこの実施形態において、様々なクッション基材要素は任意選択により単体シューアッパー３３におけるその位置に関連して位置決め及び位置合わせされる。任意選択により、側部基材要素６４が単体シューアッパー３３のバンプ側部７０に関連して位置決めされてもよく；ヒールカラー基材要素６６が単体シューアッパー３３のヒールカウンター７１に関連して位置決めされてもよく；及び底部基材要素１０４の少なくとも１つが単体シューアッパー３３のトウ６８に関連して位置決めされてもよい。
【０１２０】
上記に記載される方法で製造される底部基材要素１０４が、任意選択によりクッションポッド要素２０の作製に使用されてもよいことが理解される。任意選択により底部基材要素１０４はソールポッド要素４８又は部分アウトソール要素３７の作製にも使用され得る。側部基材要素６４は任意選択により側部クッション部分構成要素３９又は側部クッション要素４４の作製に使用されてもよい。ヒールキャップ基材要素６５は任意選択によりヒールクッション要素４７の作製に使用されてもよい。
【０１２１】
代替的実施形態
【０１２２】
本発明の一つの代替的実施形態が図６２〜図６４に示される。
【０１２３】
図６２は、基材裁断線１０２に沿って裁断されるクッション基材６９を示す。クッション基材６９はシーティング基材７２に対して位置決め又は位置合わせされる。任意選択により基材裁断線１０２はシーティング基材裁断線７３に対して位置決め又は位置合わせされてもよい。
【０１２４】
任意選択により、以下に記載する構成要素の組立てを高速化するため、クッション基材６９の２つ以上のインスタンスがシーティング基材７２の連続シート上のシーティング基材裁断線７４の２つ以上のインスタンスに対して位置決め又は位置合わせされてもよいことが理解される。
【０１２５】
図６３は、シーティング基材７２のシーティング基材接触表面７５に当接して位置合わせ及び位置決めされているクッション基材６９を示す。
【０１２６】
図６４は、シーティング基材７２のシーティング基材接触表面７５に接着されているクッション基材組立体６７（任意選択により、底部基材要素１０４、側部基材要素６４、ヒールキャップ基材要素６５、及びヒールカラー基材要素６６を含む）を示す。
【０１２７】
クッション基材組立体６７、又は個別のクッション基材要素はシーティング基材接触表面７５に対し、任意選択により、様々なクッション基材要素に選択的に接着剤を塗布する；クッション基材６９の表面、又はその一部分に接着剤を塗布し、次に残りのクッション基材７７の表面を含む範囲から接着剤を選択的に取り除く；及びクッション基材６９の表面、又はその一部分に接着剤を塗布し、次にそれを、クッション基材組立体６７、又は個別のクッション基材要素のみをシーティング基材接触表面７５に接着させるようにマスキングするなど、様々な手段によって接着させてもよい。材料を他の材料に接着させるには、これらの又は他の方法のいずれを用いてもよいことが理解される。
【０１２８】
図６４にさらに示されるとおり、残りのクッション基材７７が除去されると、クッション基材組立体６７、又は個別のクッション基材要素がシーティング基材接触表面７５に接着されて残る。
【０１２９】
得られる組立体がさらに加工され、図８に示される単体シューアッパー３３用の、又は図９に示される単体アウトソール組立体用の構成要素が形成され得る。
【０１３０】
上記に記載されるシーティング基材７２は、任意選択によりインソール要素１６、完全層２３、又は部分層２９の作製に使用されてもよいことが理解される。任意選択により、シーティング基材７２はまた、アウトソール層３４、ミッドソール要素３６、及び完全アウトソール要素３８の作製にも使用され得る。
【０１３１】
別の代替的実施形態
【０１３２】
本発明の別の代替的実施形態が図６５〜図６７に示される。図６５は、クッション基材６９がシーティング基材７２に対して、それらの間に種々の大きさの距離を置くようにして位置決め又は位置合わせされるところを示す。或いは、及び任意選択により、クッション基材６９はシーティング基材７２と接触させてもよい。また任意選択により基材裁断線１０２をシーティング基材裁断線７３に対して位置決め又は位置合わせしてもよい。
【０１３３】
或いは、及び任意選択により、クッション基材６９は、それをシーティング基材７２に対して位置決め又は位置合わせする前に基材裁断線１０２に沿って裁断されてもよい。
【０１３４】
ここでもまた、クッション基材６９の２つ以上のインスタンスがシーティング基材７２に対して位置決めされ、及びシーティング基材裁断線７４に対して位置合わせされてもよいことが理解される。
【０１３５】
図６６に示されるとおり、クッション基材組立体６７又は個別のクッション基材要素は、或いはシーティング基材７２のシーティング基材接触表面７５に接触させて押し付けるように、クッション基材６９から押し出され、押し抜かれ、又は「突き抜かれ」てもよい。
【０１３６】
クッション基材６９が、それをシーティング基材７２に対して位置決め又は位置合わせする前に基材裁断線１０２に沿って裁断されない場合、クッション基材６９は単一の、すなわち実質的に連続するステップで基材裁断線１０２に沿って裁断され、及びクッション基材６９から押し出され、押し抜かれ、又は「突き抜かれ」得ることが理解される。
【０１３７】
いずれの場合にも、クッション基材組立体６７又は個別のクッション基材要素が或いはクッション基材６９から切り抜かれるか、又は押し出され、押し抜かれ、若しくは「突き抜かれ」ると、その後には、クッション基材６９における個々のクッション基材要素が以前あった位置に対応する穴１０３及び７６を含む残りのクッション基材７７が残る。
【０１３８】
図６７は、シーティング基材７２のシーティング基材接触表面７５と接触させたクッション基材組立体６７（任意選択により、底部基材要素１０４、側部基材要素６４、ヒールキャップ基材要素６５、及びヒールカラー基材要素６６を含む）を示す。クッション基材組立体６７、個別のクッション基材要素は、グルー又はセメント、接着フィルム、熱又はマイクロ波又は電波活性化接着剤、両面接着フィルムなどを含め、様々な手段によってシーティング基材接触表面７５と接着させてもよい。材料を他の材料に接着させるには、これらの又は他の方法のいずれを用いてもよいことが理解される。
【０１３９】
或いは、及び任意選択により、開口部はシーティング基材７２に切り抜かれてもよく、又は陥凹部がシーティング基材７２のシーティング基材接触表面７５から切り取られるか、又はそこに押圧されてもよい。前記開口部は、クッション基材組立体６７又は個別のクッション基材要素を係合し、且つ任意選択によりそれらを「係止する」ようなサイズ、形状、及び位置にされてもよい。その任意選択の例が図７０及び図７１、並びに図８１及び図８２に示される。
【０１４０】
得られる組立体がさらに加工され、図８に示される単体シューアッパー３３用、又は図９に示される単体アウトソール組立体用の構成要素が形成され得る。
【０１４１】
上記に記載されるシーティング基材７２は、任意選択によりインソール要素１６、完全層２３、又は部分層２９の作製に使用されてもよいことが理解される。任意選択によりシーティング基材７２はまた、アウトソール層３４、ミッドソール要素３６、及び完全アウトソール要素３８の作製にも使用され得る。
【０１４２】
図６２〜図６４及び図６５〜図６７に示される方法を用いて図７７及び図７８に示されるコンポジット材料が作り出され得ることが理解される。図７７及び図７８は、限定なしにシューアッパーの例を示し、ここでは平坦な材料のシート又は層の間に発泡体要素（クッションポッド要素２０など）を重層するか、又は「挟む」ことによって上壁及び側壁（又は「バンプ」）が製造される。図７７及び図７８は、「バンプ」が外層１００と内層１０１との間に挟まれた発泡体要素９９で作製されるシューズの「バンプ」を示し、ここで外層１００はメッシュから作製され、その下にある発泡体要素９９が部分的に見えるようになっている。
【０１４３】
代替的なクッション基材組立て方法
【０１４４】
クッション基材６９は様々な形状及びサイズ（厚さを含む）のクッション基材要素の製造に使用され得ることが理解される。また、クッション基材６９及びクッション基材要素は、任意選択により、限定なしに発泡体、ゴム、シリコーン、ラテックス、天然又は合成の布、天然又は合成の革、メッシュ、可撓性又は軟質のプラスチック、又は他のゴム若しくはプラスチック材料、合成繊維又はコンポジット、又はかかる材料の任意の組み合わせを含め、異なる種類の材料で作製され得ることも理解される。
【０１４５】
さらに、任意選択によりクッション基材要素の作製に２つ以上の種類の材料を使用してもよいことが理解される。
【０１４６】
図６８は本発明の一つの代替的実施形態を示し、ここでは、代替的な底部基材要素８０と組み合わされる底部基材要素１０４、及び代替的なヒールカラー基材要素８１と組み合わされるヒールカラー基材要素６６など、２つの異なる型の基材組立体から作製されるクッション基材要素の配列を作り出すため、クッション基材６９が代替的なクッション基材７９と組み合わされ、又は任意選択によりそれに糊着される。
【０１４７】
単に例として、及び任意選択により、図６８に示される方法は図２３及び図５３に示されるとおりのソールポッド要素４８の製造に使用することができ、ここではソールポッド要素４８の上半分が発泡体又は他のより軟質のクッション材料から作製され得るとともに、ソールポッド要素４８の下半分がゴム又は他の弾性及び耐摩耗性材料から作製され得る。
【０１４８】
加えて、及び任意選択により、図６８に示される方法はまた、図１０及び図１９に示されるとおりのクッションポッド要素２０の製造にも使用することができ、ここではクッションポッド要素２０の上半分が軟質発泡体又は他のクッション材料から作製され得るとともに、クッションポッド要素２０の下半分がゴム又は他の緩衝材料から作製され得る。
【０１４９】
図６９は本発明の別の代替的実施形態を示し、ここでは、一部が一種類の材料で作製され（側部基材要素６４及び底部基材要素１０４の少なくとも一部など）、且つ一部が２つの異なる種類の材料で作製される（図６９に示されるとおりヒールカラー基材要素６６の代替的部分ヒールカラー基材要素８３との組み合わせなど）クッション基材要素の配列を作り出すため、クッション基材６９が代替的な部分クッション基材８２と組み合わされ、又は任意選択によりそれに糊着される。
【０１５０】
クッション基材６９、代替的なクッション基材７９、及び代替的な部分クッション基材８２の作製に使用される材料の種類、並びに適切な基材の数、形状、サイズ（厚さを含む）、位置決め、及び位置合わせを変えることにより、クッション基材組立体６７及び個別のクッション基材要素の多くの異なる変形例を製造可能であることが理解される。
【０１５１】
任意選択の補強構造
【０１５２】
本発明のさらに別の代替的実施形態では、図７０及び図７１に示されるとおりの補強構造８４を作り出すため、クッション基材６９、シーティング基材７２、又は適切なサイズ、形状、及び組成の他の材料に開口部が裁断され得る。
【０１５３】
図７０に示されるとおり、補強構造８４は、クッション基材組立体６７又は個別のクッション基材要素；クッションパディング要素１９又は個別のクッションポッド要素２０；アウトソールパディング要素３５又は個別のソールポッド要素４８；又は係止ポッド要素２２を係合するサイズ、形状、及び位置にされ得る空隙８６又は補強構造開口部８５を含むように付形されてもよい。
【０１５４】
単に例として、図７１はクッション基材組立体６７の上に装着された補強構造８４を示し、少なくとも１つの底部基材要素１０４が少なくとも１つの補強構造開口部８５に係合されている。
【０１５５】
図７２は、クッション基材組立体６７に位置合わせされて係合する補強構造８４を示し、クッション基材組立体６７はシーティング基材７２の表面上に位置決めされている。
【０１５６】
図７３はクッション基材組立体６７に装着された補強構造８４を示し、クッション基材組立体６７はシーティング基材の表面７２に位置決めされて糊着されている。
【０１５７】
補強構造８４は様々な形状（厚さを含む）及びサイズを有し得ることが理解される。また、任意選択により補強構造８４を使用して、一体に保持し、構造的完全性を提供し、シーティング基材７２、又は完全層２３及び部分層２９などの他の重層構成要素が三次元的に折り曲げられて単体シューアッパー３３を形成するときに生じる継ぎ目を「係止」又は封鎖し得ることも理解される。
【０１５８】
単に例として、図７９は、上にクッション基材要素１１７を糊着したシーティング基材１１１を示す。
【０１５９】
図８０に示されるとおり、シーティング基材１１１の前リーフ１１３、右リーフ１１４、及び左リーフ１１２がシーティング基材の折り目１１５に沿って折り曲げられ、三次元形状を形成する。説明のため、図８０はシーティング基材１１１の折り曲げられていない左リーフ１１２を示すことに留意されたい。
【０１６０】
図８１は、２つの代替的な、任意選択の形状及びサイズを有する補強構造−補強構造１１８及び補強構造１２０を示す。補強構造１１８は穴１１９を含み、及び補強構造１２０は穴１２１を含む。補強構造要素は様々な形状及び寸法を有し得ること、並びに穴のサイズ、位置、及び配置が様々であり得ることが理解される。
【０１６１】
図８２に示されるとおり、補強構造１１８は、折り曲げられたシーティング基材１１１に対し、１つ以上の穴１１９が１つ以上のクッション基材要素１１７を係合するように位置決めされてもよい。
【０１６２】
図８３は、折り曲げられたシーティング基材１１１に対し、１つ以上の穴１２１が１つ以上のクッション基材要素１１７を係合するように位置決めされる代替的な形状及びサイズを有する補強構造１２０を示す。
【０１６３】
クッション基材要素１１７はシーティング基材１１１のいずれの面に糊着されてもよいことが理解される。任意選択により、クッション基材要素１１７はシーティング基材１１１の両面に糊着され得る。
【０１６４】
図８４は、その上にクッション基材要素１１７を糊着したシーティング基材１１１を示す。しかしながらこの場合にクッション基材要素１１７は、内面１２２ではなく、外面１２３に糊着される。図８４では、補強構造１１８は、折り曲げられたシーティング基材１１１の外面１２３に対し、１つ以上の穴１１９が１つ以上のクッション基材要素１１７を係合するように位置決めされる。
【０１６５】
図８４及び図８５は、クッション基材要素１１７がシーティング基材１１１の外面１２３に糊着されたシーティング基材１１１の異なる等角図を示す。図８５及び図８６は、折り曲げられたシーティング基材１１１の外面１２３に対し、１つ以上の穴１１９が１つ以上のクッション基材要素１１７を係合するように位置決めされた補強構造１１８を示す。
【０１６６】
任意選択の埋設装置
【０１６７】
単体構成フットウェアのさらに別の利点は、フットウェアを組み立てる過程において様々な電気的、機械的、及び電気機械的装置をフットウェアに一層容易に組み込めることである。一つには単体構成フットウェアが材料の平坦な層又は「シート」から、それを三次元のシューズ形状に組み立てて折り曲げることで組み立てられるため（一体に綴着又は糊着しなければならないより小さい部材片及び構成要素とは対照的に）、単体構成フットウェアの組立体に使用される平坦な材料シートに電子回路及び装置を貼り付け、「インプリント」し、又はさらには「エッチング」することさえ可能である。
【０１６８】
図７４〜図７６は、単体構成フットウェアの構成要素層の１つ以上に電気的、機械的、及び電気機械的装置、配線、並びに回路を埋設、重層、又は接着する様々な任意選択の方法を示す。
【０１６９】
図７４は、装置基材８６を作製するよう裁断及び付形されたラミネート材９１を示す。
【０１７０】
本発明の一つの代替的実施形態において、装置基材８６は任意選択により装置基材開口部７８を含んでもよく、この装置基材開口部７８は、任意選択により、及び単に例として、クッション基材組立体６７又は個別のクッション基材要素；クッションパディング要素１９又は個別のクッションポッド要素２０；アウトソールパディング要素３５又は個別のソールポッド要素５０；又は係止ポッド要素２２の１つ以上を係合するサイズ、形状、及び位置にされ得る。
【０１７１】
単に例として、図７５及び図７６は、任意選択によりクッション基材組立体６７に装着される装置基材８６を示し、少なくとも１つの底部基材要素１０４が少なくとも１つの装置基材開口部７８に係合される。
【０１７２】
図７４に示されるとおり、様々な電気的、機械的、及び電気機械的装置が任意選択により表面に貼り付けられ、又は装置基材８６に固定されてもよい。或いは、及び任意選択により、電気的、電子的、機械的、及び電気機械的装置はまた、装置基材８６に型押しされた、又は切り抜かれた開口部に係合又は埋設されてもよい。
【０１７３】
単に例として、及び任意選択により、センサ９３（例えば歩数計など）が図７４に示されるとおり装置基材８６に固定されてもよい。
【０１７４】
また単に例として、及び任意選択により、電源９２（バッテリ、又は圧電発電機、又は他の同様の発電装置など）が装置基材８６の開口部に係合又は埋設されてもよい。
【０１７５】
任意選択により、インタフェースポート９４又は入出力装置９７もまた装置基材８６に固定され、ワイヤ９５によってセンサ９３及び電源９２に接続されてもよい。
【０１７６】
装置基材８６に固定若しくは係合され得る電気的、電子的、機械的、及び電気機械的装置の種類、又は装置基材８６上若しくは装置基材８６内における前記装置の位置に関して制限はないことが理解される。単に例として、電子ディスプレイ装置９６（単に例として、フレキシブル有機発光ダイオード（「ＯＬＥＤ」）又は発光ポリマー（「ＬＥＰ」）ディスプレイなど）が任意選択により装置基材８６に固定され、ワイヤ９５によって電源９２に接続されてもよい。
【０１７７】
また、装置基材８６がさらに加工され、任意選択により、図６２〜図６７に示されるシーティング基材７２；図７０〜図７３に示される補強構造８４；図６、図１１、及び図１２に示されるインソール要素１６、完全層２３、若しくは部分層２９；又は図９に示されるアウトソール層３４、ミッドソール要素３６、若しくは完全アウトソール要素３８が作製され得ることも理解される。
【０１７８】
図７５及び図７６は本発明の一つの任意選択の実施形態を示し、ここでは装置基材開口部７８を有する装置基材８６がクッション基材組立体６７の一部分又は個別の底部基材要素１０４を係合するように位置決めされ、その組立体がシーティング基材７２のシーティング基材接触表面７５に固定される。次に組立体全体が裁断され、単体構成フットウェアに組み込まれ得る。
【０１７９】
図７４に示されるとおり、装置基材８６は、前部８７が完成したフットウェアのトウと位置合わせされ；右側壁８９が完成したフットウェアの右側面と位置合わせされ；左側壁８８が完成したフットウェアの左側面と位置合わせされ；及びヒール壁９０が完成したフットウェアの後部分又はヒール部分と位置合わせされるように位置決めされ得る。組立体全体が適切な三次元形状に折り曲げられると、左側壁８８、右側壁８９、及びヒール壁９０は装置基材８６の残りの表面からほぼ垂直に立ち上がる。
【０１８０】
本発明は、本明細書に記載される具体的な実施形態による範囲に限定されるものではない。実際、前述の説明及び添付の図から、当業者には本明細書に記載されるものに加えて本発明の様々な変形例が明らかとなるであろう。かかる変形例は、添付の特許請求の範囲の範囲内に含まれることが意図される。以下の例は本発明の例示として、且つ限定としてではなく提供される。
【実施例】
【０１８１】
実施例１．ここでは、典型的なカジュアルシューズ用のシューアッパーの作製方法を記載する。３枚のＥＶＡ発泡体シートが予め裁断される。発泡体材料は異なる色（赤色、灰色、青色）を有し、且つ異なる厚さを有してもよく、或いは異なる種類の材料から構成されてもよい。発泡体シートは塊状の発泡体材料のより大きいブロックから切り出す。３枚の発泡体シート（赤色、灰色、青色）から裁断された発泡体部材片を混合して対応させ、組み立てられた被加工材を構成する。この場合、組み立てられた発泡体被加工材における個々の部材片は異なる厚さを有する。これにより剛性及びクッション性が高くなる。構成要素のサイズ、形状、組成などについて、ほぼ無限の変形例が考えられ得る。これらの組み立てられた被加工材の多くは、好適なパターンに並べられる。
【０１８２】
第１の基材層（この場合、シューズの「アウタースキン」を形成することになる黒色の目の荒いメッシュ）を組み立てた発泡体被加工材上に広げる。任意選択により、過剰なグルーを吸収し、且つ布／ヒートプラテンを保護するため、ラミネートする前に組立体にナイロンシートを被せてもよい。被加工材を熱プレスする。組み立てた発泡体被加工材を第１の基材層（黒色の目の荒いメッシュ）に糊着する。被加工材を好適なパターンに沿って裁断する。
【０１８３】
任意選択により、追加的なトリミング材、クッション材などを組立体に加え、さらにラミネートしてもよい（その場合、追加的なクッション材を提供する裁断された発泡体部材片をさらにラミネートする）。
【０１８４】
第２の基材層（この場合、シューズの「インナースキン」又はライニングを形成することになる緑色の布）を、被加工材のうち黒色の目の荒いメッシュに結合した面と反対側の面上に広げる。被加工材を加熱した加圧プラテンの下に置き、ラミネートする。第２の基材層を、実質的に被加工材にラミネートされた部分が残るように裁ち落とす。
【０１８５】
以上で被加工材は複合的な形状及び組成を有する。平坦な被加工材の特定の範囲は、他の範囲より厚く、又は異なる材料で作製され、又は異なる色を有する材料で作製され、これらの材料は両面に第１の基材及び第２の基材が結合されている。
【０１８６】
シューアッパーは平坦な形に構成する。さらなるトリミング材を被加工材上に広げ、それにラミネートしてもよい。その場合、ＨＭＡフィルムで予め被覆された薄いＴＰＵ部材片（熱可塑性ポリウレタン）を被加工材上に置き、ヒートプラテンで加圧する。必要に応じてさらなるトリミング材（及びロゴ）を組立体にラミネートしてもよい。平坦な被加工材を折り曲げてシューズの形状を形成する。単一の継ぎ目があり、これは糊着又は綴着する。シューアッパーをアウトソールに糊着する準備ができる。そしてアウトソールをアッパーに糊着する。
【０１８７】
実施例２．単体の方法により作製されるサンダル靴について記載する。このシューズは爪先が開いたサンダル靴であり、「アッパー」（アッパーストラップ）及び中敷き（ライニング）が単一の連続的な部材片から作製される。異なる材料（例えば、ポッド及び足底弓の支持材）を重層及び装着して単一の連続的な材料シートとすることにより、シューズの異なる部品（すなわち中敷き／インナーソールと、それに対するアウターストラップ）が異なる特性を呈する。
【０１８８】
ＨＭＡフィルムで予め被覆された３枚のＥＶＡ発泡体シートを提供する。これらの発泡体材料は異なる色（１枚は青色及び２枚は灰色）及び異なる厚さ（１枚は厚い灰色の発泡体シート、及び１枚は薄い発泡体シート）を有する。３枚の発泡体シートを裁断する。裁断した材料を発泡体シート材料から取り出し、後に薄い灰色の発泡体材料又は厚い灰色の発泡体材料、及び青色の発泡体材料の格子が残る。裁断した青色の発泡体部材片（楕円柱様の形状）及び厚い灰色の足底弓補強材を厚い（ｔｈｉｎｋ）灰色の発泡体材料格子に装着する。
【０１８９】
別個の発泡体シートを裁断して、ストラップを含むことになる層を提供する。その上に被加工材を組み立て、これは組み立てられた厚い灰色の発泡体材料格子を別個の発泡体シート上に置くことを含む。第１の基材層（この場合、緑色の布）を組み立てられた発泡体被加工材上に広げ、ラミネートするため位置決めする。被加工材を熱プレスする。組み立てられた発泡体被加工材を第１の基材層（緑色の布）に糊着する。
【０１９０】
組み立てられた被加工材と外周が実質的に重なる好適なパターンに沿ってＴＰＵ（熱可塑性ポリウレタン）の部材片を裁断する。ＴＰＵを被加工材と位置合わせし、第１の基材をラミネートした面と反対側の面にラミネートする。以上で、組み立てられていない、且つ折り曲げられていないシューズのアッパーが作られる。このアッパーを折り曲げると、アッパーはアウトソールに結合する準備ができる。折り曲げたアッパーにアウトソールを結合させると、完成したサンダル靴が構成される。
【０１９１】
実施例３．ここで、本発明の別の任意選択の実施形態、すなわち運動靴用シューアッパーの代替的な組立て方法について、完成したシューズと共に記載する。
【０１９２】
任意選択により、図８７に示されるとおり、クッション基材６９をその上面及び底面で接着剤６９Ａの層により被覆する。本発明の一つの任意選択の実施形態において、接着剤６９Ａは、熱により、又は熱と圧力とにより活性化するホットメルト接着剤（「ＨＭＡ」）フィルムである。しかしながら、この目的のため、クッション基材６９から作製される様々な構成要素を好適な完全層又は部分層要素と接合又は接着することが可能な任意の化合物、グルー、又は結合剤を用い得ることが理解される。
【０１９３】
図８８は、第１の代替的クッションポッド要素２２１Ａのインスタンスを画定する基材裁断線１０２に沿って裁断されるクッション基材６９（任意選択により接着剤６９Ａの層でラミネートされる）を示す。クッション基材６９は様々な代替的な及び任意選択の形状及び寸法で裁断されてもよく、好適な形状及び寸法の代替的クッションポッド要素を設け得ることが理解される。また、任意選択により、図８８に示されるとおりクッション基材６９の単一のインスタンスから第１の代替的クッションポッド要素２２１Ａの複数のインスタンスが製造され得ることも理解される。
【０１９４】
図８９に示されるとおり、裁断した第１の代替的クッションポッド要素２２１Ａの１つ以上のインスタンスをクッション基材６９から抜き出してもよく、後には穴１０３及び残りのクッション基材７７が残る。
【０１９５】
種々の厚さ、色、生地、及び組成の好適なクッション基材を選択するとともに、図８７〜図８９に示し、且つ前記図に関連して説明したステップを繰り返すことにより、単に例として第２の代替的クッションポッド要素２２２、及び第３の代替的クッションポッド要素２２３などの、様々な代替的クッションポッド要素を製造し得る。
【０１９６】
図９１は、コンポジットクッションポッド要素２２１Ｂの複合セットを示し、これは第２の代替的クッションポッド要素２２２及び第３の代替的クッションポッド要素２２３から部品及び構成要素（第２の代替的クッションポッド要素の構成要素２２２Ａ及び第３の代替的クッションポッド要素の構成要素２２３Ａなど）を取り、かかる部品及び構成要素を第１の代替的クッションポッド要素２２１Ａに組み込むことにより組み立てられる。
【０１９７】
コンポジットクッションポッド要素２２１Ｂの非限定的な例を図９２に示す。
【０１９８】
図９３及び図９４に示されるとおり、同一の又は異なるコンポジットクッションポッド要素２２１Ｂの複数のインスタンスが好適な配置で位置決めされ得る。
【０１９９】
図９５は、コンポジットクッションポッド要素２２１Ｂの複数のインスタンスに隣接して位置決めされる外側完全層シート２２３Ａを示す。
【０２００】
図９６及び図９７に示されるとおり、外側完全層シート２２３Ａをコンポジットクッションポッド要素２２１Ｂにラミネートし、又は結合する。図９６及び図９７はコンポジットクッションポッド要素２２１Ｂの２つの反対側の面を示す。
【０２０１】
任意選択により、図９８及び図９９に示されるとおりラミネートした被加工材をシューアッパー裁断線２０２に沿って裁断してもよく、それにより図１００及び図１０１に示す第１のアッパー組立て被加工材２２４が形成される。
【０２０２】
任意選択により、図１０２及び図１０３に示されるヒールカウンタークッション要素２２５などのさらなるクッション要素を第１のアッパー組立て被加工材２２４に結合してもよい。
【０２０３】
任意選択により、図１０４及び図１０５に示されるとおり、内側完全層シート２２５Ａをコンポジットクッションポッド要素２２１Ｂの露出した面にラミネートし、又は結合してもよい。或いは、及び任意選択により、内側完全層シート２２５Ａは、コンポジットクッションポッド要素をシューアッパー裁断線２０２に沿って裁断する前にコンポジットクッションポッド要素２２１Ｂにラミネートし、又は結合してもよい。
【０２０４】
図１０６及び図１０７は、内側完全層２２５Ｂ及び外側完全層２２３Ｂをクッションポッド要素にラミネートした後の被加工材の側方図を示す。
【０２０５】
図１０８及び図１０９は、得られた第２のアッパー組立て被加工材２２６を示す。
【０２０６】
図１１０及び図１１１に示されるとおり、部分層要素２２９（任意選択により、部分層要素の構成要素２２９Ａ、２２９Ｂ、２２９Ｃ、及び２２９Ｄから構成される）を任意選択により第２のアッパー組立て被加工材２２６に結合してもよく、それによりさらなる構造的完全性、又は摩耗に対する保護等が提供される。
【０２０７】
図１１２及び図１１３は、得られたシューアッパー組立体２２７を示す。
【０２０８】
図１１３〜図１１６に示されるとおり、シューアッパー組立体２２７をアッパー組立て継ぎ目２２８に沿って折り曲げ、接合する。継ぎ目には、任意選択によりそれを覆って補強材料（単に例として、熱可塑材など）で作製される部分層又はストリップが結合、縫着、糊着、溶着、又はテープ留めされてもよい。
【０２０９】
図１１７〜図１１９に示されるとおり、任意選択によりシューラスト２２９又は好適な型を折り曲げたシューアッパー組立体２２７に挿入し、シューズ本体構造をさらに付形してもよい。任意選択によりまた、図１１９に示されるとおり、折り曲げたシューアッパー組立体２２７にインナーソール敷板１２を結合、糊着、綴着、又は溶着してもよい。
【０２１０】
図１２０は、アウトソール要素２３０に対して位置決めした、折り曲げたシューアッパー組立体２２７を示す。
【０２１１】
図１２１及び図１２２に示されるとおり、折り曲げたシューアッパー組立体２２７は任意選択によりアウトソール要素２３０に糊着、結合、溶着、綴着、又は縫着してもよく、シューズの組立体が完成する。
【０２１２】
当業者は、本明細書に具体的に記載される本発明の具体的実施形態の多くの均等物を認識し、又はルーチン程度に過ぎない実験を用いてそれを確かめることができるであろう。かかる均等物は特許請求の範囲の範囲に包含されることが意図される。
【図１】
0005921038.tif 000002
【図２】
0005921038.tif 000003
【図３】
0005921038.tif 000004
【図４】
0005921038.tif 000005
【図５】
0005921038.tif 000006
【図６】
0005921038.tif 000007
【図７】
0005921038.tif 000008
【図８】
0005921038.tif 000009
【図９】
0005921038.tif 000010
【図１０】
0005921038.tif 000011
【図１１】
0005921038.tif 000012
【図１２】
0005921038.tif 000013
【図１３】
0005921038.tif 000014
【図１４】
0005921038.tif 000015
【図１５】
0005921038.tif 000016
【図１６】
0005921038.tif 000017
【図１７】
0005921038.tif 000018
【図１８】
0005921038.tif 000019
【図１９】
0005921038.tif 000020
【図２０】
0005921038.tif 000021
【図２１】
0005921038.tif 000022
【図２２】
0005921038.tif 000023
【図２３】
0005921038.tif 000024
【図２４】
0005921038.tif 000025
【図２５】
0005921038.tif 000026
【図２６】
0005921038.tif 000027
【図２７】
0005921038.tif 000028
【図２８】
0005921038.tif 000029
【図２９】
0005921038.tif 000030
【図３０】
0005921038.tif 000031
【図３１】
0005921038.tif 000032
【図３２】
0005921038.tif 000033
【図３３】
0005921038.tif 000034
【図３４】
0005921038.tif 000035
【図３５】
0005921038.tif 000036
【図３６】
0005921038.tif 000037
【図３７】
0005921038.tif 000038
【図３８】
0005921038.tif 000039
【図３９】
0005921038.tif 000040
【図４０】
0005921038.tif 000041
【図４１】
0005921038.tif 000042
【図４２】
0005921038.tif 000043
【図４３】
0005921038.tif 000044
【図４４】
0005921038.tif 000045
【図４５】
0005921038.tif 000046
【図４６】
0005921038.tif 000047
【図４７】
0005921038.tif 000048
【図４８】
0005921038.tif 000049
【図４９】
0005921038.tif 000050
【図５０】
0005921038.tif 000051
【図５１】
0005921038.tif 000052
【図５２】
0005921038.tif 000053
【図５３】
0005921038.tif 000054
【図５４】
0005921038.tif 000055
【図５５】
0005921038.tif 000056
【図５６】
0005921038.tif 000057
【図５７】
0005921038.tif 000058
【図５８】
0005921038.tif 000059
【図５９】
0005921038.tif 000060
【図６０】
0005921038.tif 000061
【図６１】
0005921038.tif 000062
【図６２】
0005921038.tif 000063
【図６３】
0005921038.tif 000064
【図６４】
0005921038.tif 000065
【図６５】
0005921038.tif 000066
【図６６】
0005921038.tif 000067
【図６７】
0005921038.tif 000068
【図６８】
0005921038.tif 000069
【図６９】
0005921038.tif 000070
【図７０】
0005921038.tif 000071
【図７１】
0005921038.tif 000072
【図７２】
0005921038.tif 000073
【図７３】
0005921038.tif 000074
【図７４】
0005921038.tif 000075
【図７５】
0005921038.tif 000076
【図７６】
0005921038.tif 000077
【図７７】
0005921038.tif 000078
【図７８】
0005921038.tif 000079
【図７９】
0005921038.tif 000080
【図８０】
0005921038.tif 000081
【図８１】
0005921038.tif 000082
【図８２】
0005921038.tif 000083
【図８３】
0005921038.tif 000084
【図８４】
0005921038.tif 000085
【図８５】
0005921038.tif 000086
【図８６】
0005921038.tif 000087
【図８７】
0005921038.tif 000088
【図８８】
0005921038.tif 000089
【図８９】
0005921038.tif 000090
【図９０】
0005921038.tif 000091
【図９１】
0005921038.tif 000092
【図９２】
0005921038.tif 000093